(57)【要約】【課題】遊技領域内の遊技球の流下領域を制約することなく、大きな形状でかつ円滑に回転可能な表示器を遊技機に設けられるようにすることである。【解決手段】画像表示装置１０は、画像表示面１１の上下左右の関係を変更可能に構成させる画像回動装置３０を備える。画像回動装置３０は、画像表示面１１を有する画像表示ユニット３２と、画像表示ユニット３２を回動可能に軸支するとともに裏面側を収納する収納部材３３とを備える。画像表示ユニット３２は、前面側に矩形状の画像表示面１１を臨ませた円盤形状に形成され、画像表示面１１が横長状態もしくは縦長状態となる常態位置で安定するように重心位置が設定されている。【選択図】図４
2006026203.tif 000002
【特許請求の範囲】
【請求項１】
遊技盤に形成された表示用窓部から矩形状の画像表示面を前面側に臨ませるように画像表示装置を該遊技盤の裏面側に配設した遊技機において、
前記画像表示装置は、
遊技盤の裏面側に取り付けられる裏面構成部材と、
前記裏面構成部材に取り付けられるとともに、回動動作に応じて前記画像表示面の上下左右の関係を変更可能に構成される画像回動装置と、
前記画像回動装置を回動させるための電気的駆動源と、
を備え、
前記画像回動装置は、
回動軸が設定され、前記画像表示面を有する画像表示器を備えた画像表示ユニットと、
前記画像表示ユニットを回動可能に軸支するとともに、該画像表示ユニットの裏面側所定部位を収納する収納部材と、
を備え、
前記画像表示ユニットは、
前面側に矩形状の前記画像表示面を臨ませた円盤形状に形成され、回動されている変換位置から前記画像表示面が横長状態もしくは縦長状態となる常態位置に回動するように重心位置を設定していることを特徴とする遊技機。
【請求項２】
前記画像表示ユニットは、
前記電気的駆動源に駆動される駆動ギアと歯合する円弧状の従動ギアを備えた金属製のギア部材を備え、
前記ギア部材は、
矩形状の前記画像表示面の一方の長辺もしくは一方の短辺の中心を通る当該画像表示ユニットの半径方向に沿った線分と当該画像表示ユニットの周縁との交点から円周に沿って左右の所定範囲部分に設けられることを特徴とする請求項１に記載の遊技機。
【請求項３】
前記画像表示ユニットは、
矩形状の画像表示面の一方の長辺もしくは一方の短辺と、当該画像表示ユニットの外周との間に、互いの間に界面を生じる２種以上の液体が充填されるとともに前記液体を前記表示用窓部から視認可能とする充填体が設けられ、
前記液体のうちの少なくとも一種の液体を、他の液体と識別可能に着色することを特徴とする請求項１または２記載の遊技機。
【請求項４】
前記画像表示ユニットの裏面側であって回動中心から外側に所定間隔設けた位置に、後方側に向けて突起部材を突設し、
前記収納部材における前記画像表示ユニットの裏面と対向する内面に、前記画像表示ユニットの回動範囲を規制するための、前記突起部材に当接する一対の回動規制部材を該突起部材の回動軌跡上に設け、
前記突起部材は金属部材を有する一方、前記回動規制部材は磁石を設け、該突起部材の金属部材が該回動規制部材の磁石に吸着されることで、前記画像表示ユニットを所定角度で保持可能とし、
一方の回動規制部材に突起部材が吸着された場合に、前記画像表示ユニットが前記常態位置になるものとし、
前記収納部材の内面には、前記画像表示ユニットが常態位置になる側の回動規制部材に前記突起部材が接触する前に接触して衝撃を吸収する衝撃吸収装置が設けられていることを特徴とする請求項１〜３のいずれか１項に記載の遊技機。
【請求項５】
前記衝撃吸収装置は、
前記突起部材に当接する当接部材と、該当接部材を前記突起部材に当接可能な当接位置と、当接不可能な待避位置との間で移動自在に支持する支持部材と、前記当接部材を当接位置と待避位置との間で移動させる緩衝動作手段と、当接部材の衝撃を吸収する吸収手段とを備え、
前記緩衝動作手段は、電源遮断時に電力の供給が絶たれたことに基づき前記当接部材を待避位置から当接位置に移動させることを特徴とする請求項４記載の遊技機。
【請求項６】
前記画像表示ユニットの回動動作を停止させるために当該画像表示ユニットの回動位置を検出する検出手段を設け、
前記検出手段は、
前記画像表示ユニットの回動中において前記突起部材が前記回動規制部材に当接するよりも前の位置で該画像表示ユニットの回動位置を検出するように設定し、
前記検出手段の検出出力に基づいて、前記電気的駆動源により前記画像表示ユニットの回動速度を低速に変換することを特徴とする請求項４または５に記載の遊技機。
【請求項７】
前記画像表示ユニットの回動と、前記画像表示器の表示とを制御する制御装置を備え、
前記一対の回動規制部材は、前記画像表示面が横長状態となる位置と、前記画像表示面が縦長状態となる位置とで前記突起部材に当接し、
前記検出手段は、前記突起部材が、前記一対の回動規制部材の間の所定範囲を除く、前記回動規制部材に当接するよりも前の位置から当接する位置までの範囲として前記画像表示面が横長状態となる所定範囲と、縦長状態となる所定範囲の位置を検出し、
前記制御装置は、停電復帰後に、
前記検出手段の検出結果が前記画像表示面が縦長状態となっているのを検出した場合に縦長画面に対応した縦エラー表示を行うように前記画像表示器を制御し、
前記検出手段の検出結果が前記画像表示面が横長状態となっているのを検出した場合に横長画面に対応した横エラー表示を行うように前記画像表示器を制御し、
前記検出手段の検出結果が縦長状態でも横長状態でもない場合に、縦長状態と横長状態とのうちの前記常態位置となる状態に対応した横エラー表示と縦エラー表示とのうちの一方のエラー表示を行うことを特徴とする請求項６記載の遊技機。
【発明の詳細な説明】
【技術分野】
【０００１】
本発明は、遊技盤に形成された表示用窓部から矩形状の画像表示面を前面側に臨ませるように画像表示装置を該遊技盤の裏面側に配設した遊技機に関する。
【背景技術】
【０００２】
従来、遊技盤に画像表示装置を設け、該画像表示装置で複数の識別情報による変動表示ゲームを行うようにしたパチンコ遊技機等の遊技機が知られている。
このような遊技機においては、前記変動表示ゲームの結果が予め定められた特別結果となった場合に、遊技者に所定の利益を付与可能な特別遊技状態が発生するように構成されていた。
また、変動表示ゲームの興趣を高めるために、前記画像表示装置の表示器を回動可能に設け、該表示器の表示状態に応じて該表示器を回動させるようにしたパチンコ遊技機も考えられている（例えば、特許文献１参照。）。
【０００３】
そして、特許文献１に示されるパチンコ遊技機においては、その図に示されるように、遊技盤の盤面（前面）の中央にセンターケースが配置され、センターケース内、すなわち、遊技盤の盤面側に表示器を配置している。また、表示器の背部に回転軸を設け、回転軸の後部に同心状に被動歯車（従動歯車）を固着し、この被動歯車に可逆駆動モータの駆動軸に固定した駆動歯車を噛み合わせて表示器を回転駆動するようになっている。
【特許文献１】特開平６−３９１０９号公報（第２−３頁、図３−４）
【発明の開示】
【発明が解決しようとする課題】
【０００４】
特許文献１に示される従来の遊技機においては、遊技盤の盤面に設けられたセンターケースに形成された円形窓部内に、表示器を収納して、該円形窓部内で表示器を回動するように構成されている。したがって、表示器の回転範囲となる大きさ分の円形窓部をセンターケースに形成しなければならならず、センターケースは、表示器の回転範囲より大きな形状となる。ここで、センターケースを大きくすると遊技球が流下する遊技領域がその分狭められてしまうことから、上記のような構成にするとあまり大型の表示器を備えることは困難である。すなわち、表示器を大型のものとすると、大型の表示器より大きなその回転範囲に対してさらにセンターケースが大きくなり、遊技盤の盤面のセンターケース周囲に遊技球が流下する十分な面積の流下領域を確保することが難しくなる。
【０００５】
また、従来の遊技機では、表示器を駆動するために、回転軸を表示器の後方側に突設するとともに、表示器の後方側にモータを配設し、該回転軸に固着された被動歯車をモータの駆動軸に固定された駆動歯車に噛み合わせて表示器の回動動作を行うようにしていた。
そして、表示器の回動を停止するために、回動軸と係合するストッパを設けるようにしていた。比較的小型の表示器ならば、このようなストッパによりスムーズに表示器を停止することができるが、大型の表示器の場合にはその重量も大きくこのようなストッパではスムーズに停止させることが困難である。例えば、停止時にストッパに当った衝撃でバウンドしたりして見栄えが悪い回動演出となる。また、重量の大きい大型の表示器においては、表示器の中心部となる回動軸においてストッパでその回動を停止させること自体困難である。
【０００６】
また、矩形状の画像表示面を回転する構成とした場合に、回転角度によって画像表示面が横長状態と縦長状態とになる場合があるが、万が一に画像表示面を回動させる装置に不具合が発生した場合や、制御装置において停電復帰後の現在の画像表示面の角度が確定できない状態となった場合に、例えば、画像表示面は、縦長画面（横長画面）となっているのに、画像表示面の表示形態が横長画面（縦長画面）となり、遊技者に混乱を与える可能性がある。
【０００７】
本発明の課題は、遊技領域内の遊技球の流下領域を制約することなく、大きな形状でかつ円滑に回転可能な表示器を遊技機に設けられるようにすることである。
【課題を解決するための手段】
【０００８】
上記課題を解決するため請求項１に記載の発明は、遊技盤に形成された表示用窓部から矩形状の画像表示面を前面側に臨ませるように画像表示装置を該遊技盤の裏面側に配設した遊技機において、
前記画像表示装置は、
遊技盤の裏面側に取り付けられる裏面構成部材と、
前記裏面構成部材に取り付けられるとともに、回動動作に応じて前記画像表示面の上下左右の関係を変更可能に構成される画像回動装置と、
前記画像回動装置を回動させるための電気的駆動源と、
を備え、
前記画像回動装置は、
回動軸が設定され、前記画像表示面を有する画像表示器を備えた画像表示ユニットと、
前記画像表示ユニットを回動可能に軸支するとともに、該画像表示ユニットの裏面側所定部位を収納する収納部材と、
を備え、
前記画像表示ユニットは、
前面側に矩形状の前記画像表示面を臨ませた円盤形状に形成され、回動されている変換位置から前記画像表示面が横長状態もしくは縦長状態となる常態位置に回動するように重心位置を設定していることを特徴としている。
【０００９】
ここで、遊技機とは、例えば、各種パチンコ遊技機、アレンジボール遊技機、雀球遊技機等の弾球遊技機であり、かつ、画像表示装置を有するものである。
【００１０】
請求項１に記載の発明によれば、画像表示ユニットを有する画像表示装置を遊技盤の裏面側に備えたので、表示用窓部を形成する遊技盤の前面側の役物とは関係なく、比較的大型の画像表示器を備えることが可能となり、興趣性を高められる大きな画像を表示可能である。すなわち、画像表示面を備えた画像表示器を有する画像表示ユニットを回転させるものとしても、回転する画像表示ユニットが遊技盤の裏面にあるので、画像表示ユニットの回転範囲全体を囲むような大きな役物を遊技盤前面に設ける必要はなく、回転する画像表示面の必要部分を露出可能な表示用窓部を囲む程度の大きさの役物を設ければ良い。
【００１１】
言い換えれば、画像表示面およびその周辺を装飾する周辺装飾部材を有する画像表示ユニットの前面の面積は、表示用窓部の面積より大きく設定することができる。従って、表示される画像の興趣性を高めるために大きな画像表示面を有する大型の画像表示器を回転させるものとしても、画像表示器の回転範囲より大きな表示用窓部が必要となることはなく、表示用窓部の周囲に遊技球が流下する十分な面積の流下領域を確保することが可能となる。
【００１２】
さらに、言い換えれば、表示用窓部の周囲に遊技球が流下する十分な面積の流下領域を確保するために、表示用窓部の大きさが制限されても、画像表示ユニットの回転範囲を表示用窓部より大きくすることが可能なことから、表示用窓部の大きさに規制されずに興趣の高い大型の画像表示ユニットを回転させる構成とすることができる。
【００１３】
また、画像表示ユニットは、前面側に矩形状の前記画像表示面を臨ませた円盤形状に形成されているので、画像表示面を横長状態と縦長状態とに変換することが可能となっているとともに、表示用窓部から画像表示面が視認される際に、画像表示面の外側に円盤形状の画像表示ユニットの前面が視認されることになり、画像表示面が矩形状となっていても、画像表示面の外側で画像表示ユニットの奥側が遊技者に見えてしまうことがない。
【００１４】
また、画像表示ユニットが円盤状となっていても、回動されている変換位置から前記画像表示面が横長状態もしくは縦長状態となる常態位置に回動するように重心位置を設定しているので、万が一に画像回動装置が故障したり、停電が発生したりすることにより、画像表示ユニットが回転停止しても、画像表示ユニットが回転可能な状態となっていれば、画像表示ユニットは、その重心に基づく荷重により、画像表示面が横長状態もしくは縦長状態の常態位置に戻ることになる。従って、故障や停電に基づくエラー表示を行う場合に、予め常態位置となる横長状態もしくは縦長状態の画像表示面に対応した画像データ等を用意しておくことにより、横長画面に縦長画面用の表示が行われたり、縦長画面に横長画面用の表示が行われたりするのを防止することができる。また、通常の画像表示ユニットの回転においても、常態位置に戻るように回転する際に、より円滑に画像表示ユニットを回転させることができる。
なお、前記変換位置から前記常態位置に回動するように重心位置を設定する方法としては、例えば、画像表示ユニットが備える部材のうち、比較的重量が大きく、かつ、画像表示ユニットの回転中心に対して位置をオフセット可能な部材の位置を調整することが考えられ、例えば、画像表示器の重心の位置を画像表示ユニットの回転中心からずらすことが挙げられる。また、画像表示ユニットに錘となる部材を取り付けることにより、上述のように重心位置を設定するものとしても良い。
【００１５】
請求項２に記載の発明は、請求項１に記載の遊技機において、
前記画像表示ユニットは、
前記電気的駆動源に駆動される駆動ギアと歯合（噛み合う）する円弧状の従動ギアを備えた金属製のギア部材を備え、
前記ギア部材は、
矩形状の前記画像表示面の一方の長辺もしくは一方の短辺の中心を通る当該画像表示ユニットの半径方向に沿った線分と当該画像表示ユニットの周縁との交点から円周に沿って左右の所定範囲部分に設けられることを特徴としている。
【００１６】
請求項２に記載の発明によれば、矩形状の前記画像表示面の一方の長辺もしくは一方の短辺の中心を通る当該画像表示ユニットの半径方向に沿った線分と当該画像表示ユニットの周縁との交点から円周に沿って左右の所定範囲部分、すなわち、画像表示面の一方の長辺もしくは一方の短辺と対向する合成樹脂製の画像表示ユニットの外周部に合成樹脂等に比較して比重の大きな金属製のギア部材が設けられているので、前記変換位置から前記常態位置に回動するように重心位置が設定されることになる。
【００１７】
それに加えて、ギア部材を金属製とすることで、樹脂製のギアに比較して耐摩耗性に優れ、長く使用しても、画像表示ユニットをスムーズに回転させることができる。
また、画像回動装置中において大きな半径を有する部材となる画像表示ユニットの周縁部に駆動ギアと歯合するギア部材を備えたので、それほど大きな駆動力を必要としないで、比較的小さな駆動力でも大型の画像表示ユニットを回動させることが可能となる。
すなわち、画像表示ユニットは、画像表示器を備えており、画像表示器の回転範囲となる円とほぼ同じ大きさもしくはそれより僅かに大きな大きさに設定することが可能であり、この画像表示ユニットの周縁部に駆動ギアと歯合する、例えば、複数の歯が円弧状に並設され従動ギアを設けることにより、極めて径の大きな従動ギアを画像表示ユニットと一体に回転可能に設けたことになり、駆動ギアに対するギア比を極めて大きくすることができ、比較的小さな駆動力でも、大きくて重い画像表示ユニットを回転させることができる。なお、画像表示ユニットを３６０度より狭い範囲で回転可能とするならば、画像表示ユニットの全周に従動ギアを設ける必要はなく、ここでは、３６０度より狭い範囲として、２７０度や、１８０度や、９０度等の範囲で、画像表示ユニットの外周に部分的に従動ギアを設ける。
【００１８】
請求項３に記載の発明は、請求項１または２に記載の遊技機において、
前記画像表示ユニットは、
矩形状の画像表示面の一方の長辺もしくは一方の短辺と、当該画像表示ユニットの外周との間に、互いの間に界面を生じる２種以上の液体が充填されるとともに前記液体を前記表示用窓部から視認可能とする充填体が設けられ、
前記液体のうちの少なくとも一種の液体を、他の液体と識別可能に着色することを特徴としている。
【００１９】
請求項３に記載の発明によれば、互いの間に界面を生じてほとんど混じり合うことのない２種以上の液体を充填した充填体が、画像表示面の一方の長辺もしくは一方の短辺と、当該画像表示ユニットの外周との間に設けられているので、充填体が錘として作用し、前記変換位置から前記常態位置に回動するように重心位置が設定されることになる。
それに加えて、充填体は、互いにほとんど混ざり合わない２種以上の液体の界面が、画像表示ユニットの回転に伴い例えば波状に移動したりすることで、極めて興趣の高い装飾となり、特に、液体のうちの少なくとも一種の液体を、他の液体と識別可能に着色することで、より装飾性を高めることができる。また、充填体の液体に光を前面や背面から照射して装飾性を高めても良い。
【００２０】
請求項４に記載の発明は、請求項１〜３のいずれか１項に記載の遊技機において、
前記画像表示ユニットの裏面側であって回動中心から外側に所定間隔設けた位置に、後方側に向けて突起部材を突設し、
前記収納部材における前記画像表示ユニットの裏面と対向する内面に、前記画像表示ユニットの回動範囲を規制するための、前記突起部材に当接する一対の回動規制部材を該突起部材の回動軌跡上に設け、
前記突起部材は金属部材を有する一方、前記回動規制部材は磁石を設け、該突起部材の金属部材が該回動規制部材の磁石に吸着されることで、前記画像表示ユニットを所定角度で保持可能とし、
一方の回動規制部材に突起部材が吸着された場合に、前記画像表示ユニットが前記常態位置になるものとし、
前記収納部材の内面には、前記画像表示ユニットが常態位置になる側の回動規制部材に前記突起部材が接触する前に接触して衝撃を吸収する衝撃吸収装置が設けられていることを特徴としている。
【００２１】
請求項４に記載の発明によれば、画像表示ユニットの裏面側であって回動中心から外側に所定間隔設けた位置に、後方側に向けて突起部材を突設し、前記収納部材における前記画像表示ユニットの裏面と対向する内面に、前記画像表示ユニットの回動範囲を規制するための、前記突起部材に当接する一対の回動規制部材を該突起部材の回動軌跡上に設けたので、突起部材と回動規制部材を画像表示器（画像表示ユニット）の回転中心より所定間隔離れた位置に配置できる。従って、回転軸に係合するストッパを設けた場合と異なり、回転中心から離れた突起部材と回動規制部材により、比較的重量の大きい画像表示ユニットを何ら問題なく停止させることができる。特に画像表示ユニット裏面と収納部材の内面を利用して停止機構を効率よく構成できる。
【００２２】
また、突起部材は、磁力で吸着される金属部材を有し、回動規制部材には、磁石が備えられているので、停止時に画像表示ユニットがバウンドしたりすることを防止でき、画像表示ユニットを所定角度で正確かつスムーズに停止させることができる。また、画像表示ユニットが停止している状態で、振動等により画像表示ユニットが適正な停止位置から移動するのを防止することができる。なお、突起部材が有する金属部材は、磁石に吸着する強磁性体である必要がある。また、突起部材が有する金属部材が磁力を有するものであっても良い。なお、突起部材に磁石を配置し、回動規制部材に金属部材を配置しても、同様の効果を得られるが、遊技盤裏面で磁石を移動可能とすると、磁界の変動による電流の発生等により、遊技盤裏面に配置される各種電子装置等に影響を与える可能性がある。
また、突起部材の周囲を金属部材で覆うようにしてもよいし、突起部材自体（例えば、全体）を金属部材で構成するようにしても良い。
【００２３】
また、画像表示ユニットにおいて、前記変換位置から前記常態位置に回動するように重心位置が設定されていることなどにより、画像表示ユニットの回転中心と重心とがずれ、かつ、重心が高い位置にある際に、故障や停電等により画像表示ユニットの回転がほぼフリーの状態となると、画像表示ユニットが荷重により勢いよく回転してしまう可能性があるが、この勢いを衝撃吸収装置が緩衝し、突起部材が回動規制部材に激しく当るのを防止することができる。これにより回動規制部材、突起部材の耐久性を高めるとともに、回動規制部材に突起部材が衝突した勢いでバウンドしてしまうのを防止し、円滑に回転を停止することができる。
【００２４】
また、上述の画像表示ユニットの重心の設定により、画像表示ユニットの回転中心と重心とが略同じ位置にある場合に比較して、前記画像表示ユニットが常態位置になる側の一方の回動規制部材に突起部材が当接する際の衝撃が大きくなり、他方の回動規制部材に突起部材が当接する際の衝撃が小さくなる。従って、他方の回動規制部材に突起部材が当接する際には、特に衝撃を吸収しなくても良いが、一方の回動規制部材に突起部材が当接する際には、衝撃を吸収することが好ましく、特に、故障や停電等が発生しなくとも、通常の画像表示ユニットの回転においても、衝撃吸収装置が有効に機能する可能性がある。
【００２５】
請求項５に記載の発明は、請求項４に記載の遊技機において、
前記衝撃吸収装置は、
前記突起部材に当接する当接部材と、該当接部材を前記突起部材に当接可能な当接位置と、当接不可能な待避位置との間で移動自在に支持する支持部材と、前記当接部材を当接位置と待避位置との間で移動させる緩衝動作手段と、当接部材の衝撃を吸収する吸収手段とを備え、
前記緩衝動作手段は、電源遮断時に電力の供給が絶たれたことに基づき前記当接部材を待避位置から当接位置に移動させることを特徴としている。
【００２６】
請求項５に記載の発明によれば、停電や故障による電源遮断時に上述のように回動規制部材に突起部材が激しく衝突する可能性が高いので、電源遮断時にだけ、当接部材が突起部材に当接して、突起部材の勢いを吸収手段が弱め、突起部材が回動規制部材に衝突する際の衝撃を吸収することになる。すなわち、通常の画像表示ユニットの回転に対しては、回動規制部材及び突起部材に、十分な強度を持たせるようにした場合でも、電源遮断時に画像表示ユニットが通常より加速して回転する場合には、衝撃吸収装置が作動して、回動規制部材及び突起部材を保護することができる。なお、吸収手段は、基本的に弾性部材であるが、突起部材が撥ねてしまわないように低反発性の弾性部材であることが好ましい。
【００２７】
また、当接部材は、電源が遮断されていない状態では、待避位置に有り、突起部材と接触しないようになっていることから、電源が遮断されていない状態で、弾性部材としての吸収手段の付勢力が突起部材の金属部材を回動規制部材の磁石から引きはがす方向に作用することがない。従って、電源遮断時に突起部材が速い速度で回動規制部材にぶつかるような場合に、十分に突起部材の速度を減衰できる程度に大きなバネ常数を有する弾性部材、すなわち、磁力に抗して回動規制部材の磁石から突起部材の金属部材を引きはがすような付勢力を有する弾性部材を吸収手段として用いても、電力が供給されている状態では、当接部材が突起部材に当接することがなく、衝撃吸収装置により、突起部材が回動規制部材から引き剥がされることがない。
また、衝撃動作手段は、電源遮断時に当接部材を当接位置に移動し、停電復帰時に当接部材を待避位置に移動できるものとして、電磁石を用いたものが挙げられる。
【００２８】
請求項６に記載の発明は、請求項４または５に記載の遊技機において、
前記画像表示ユニットの回動動作を停止させるために当該画像表示ユニットの回動位置を検出する検出手段を設け、
前記検出手段は、
前記画像表示ユニットの回動中において前記突起部材が前記回動規制部材に当接するよりも前の位置で該画像表示ユニットの回動位置を検出するように設定し、
前記検出手段の検出出力に基づいて、前記電気的駆動源により前記画像表示ユニットの回動速度を低速に変換することを特徴としている。
【００２９】
請求項６に記載の発明によれば、突起部材が回動規制部材に当接する前に画像表示ユニットの回動速度を低速に変換するので、突起部材が回動規制部材に当接する際の衝撃を抑えることができ、さらにスムーズに画像表示ユニットを停止させることができる。
【００３０】
請求項７に記載の発明は、請求項６に記載の遊技機において、
前記画像表示ユニットの回動と、前記画像表示器の表示とを制御する制御装置を備え、
前記一対の回動規制部材は、前記画像表示面が横長状態となる位置と、前記画像表示面が縦長状態となる位置とで前記突起部材に当接し、
前記検出手段は、前記突起部材が、前記一対の回動規制部材の間の所定範囲を除く、前記回動規制部材に当接するよりも前の位置から当接する位置までの範囲として前記画像表示面が横長状態となる所定範囲と、縦長状態となる所定範囲の位置を検出し、
前記制御装置は、停電復帰後に、
前記検出手段の検出結果が前記画像表示面が縦長状態となっているのを検出した場合に縦長画面に対応した縦エラー表示を行うように前記画像表示器を制御し、
前記検出手段の検出結果が前記画像表示面が横長状態となっているのを検出した場合に横長画面に対応した横エラー表示を行うように前記画像表示器を制御し、
前記検出手段の検出結果が縦長状態でも横長状態でもない場合に、縦長状態と横長状態とのうちの前記常態位置となる状態に対応した横エラー表示と縦エラー表示とのうちの一方のエラー表示を行うことを特徴としている。
【００３１】
請求項７に記載の発明によれば、停電復帰時に、検出手段が画像表示面が縦長状態となっているのを検出した場合に縦長画面に対応した縦長エラー表示を行い、横長状態となっているのを検出した場合に横長画面に対応した横長エラー表示を行う。なお、この場合に、常態となっていない場合（縦長状態と横長状態とのうちの一方が常態で他方が非常態）でも、例えば、停電時に突起部部材の金属部材が回動規制部材の磁石に吸着することにより、縦長状態もしくは横長状態が維持されるものとする。また、非常態で、画像表示ユニットが縦長状態もしくは横長状態の所定範囲内の位置にある場合に、例えば、磁力により回動規制部材の磁石に突起部材が吸着されるか、回動規制部材の配置により縦長状態もしくは横長状態が維持されるものとする。
【００３２】
そして、検出手段の検出結果が縦長状態でも横長状態でも無い場合には、常態位置となる画面（横長画面及び縦長画面の一方）に対応したエラー表示を行い、画像表示面が縦長状態なのに、横長画面用のエラー表示が行われるようなことがなく、エラー表示を正常に行うことができる。すなわち、画像表示ユニットの回動位置が縦長状態でも横長状態でも無い場合には、画像表示面が斜めとなっているが、この場合に、画像表示ユニットの重心に基づいて、画像表示ユニットが回転して常態位置となる。従って、停電時に斜めとなっていても、時間の経過に伴い常態位置となるが、停電期間が極めて短い場合に、停電復帰時に常態位置まで至っていない可能性がある。この場合にも、直ぐに常態位置となるので、縦長状態及び横長状態のうちの常態位置となる方の画面に対応したエラー表示を行うことで、停電復帰直後には、画像表示面が斜めとなって、エラー表示が斜めに表示されるが、直ぐに画像表示面が横長もしくは縦長状態となり、エラー表示が正常な状態となる。
【発明の効果】
【００３３】
本発明によれば、回動されている変換位置から前記画像表示面が横長状態もしくは縦長状態となる常態位置に回動するように重心位置を設定しているので、万が一に画像回動装置が故障したり、停電が発生したりすることにより、画像表示ユニットが回転停止しても、画像表示ユニットが回転可能な状態となっていれば、画像表示ユニットは、その重心に基づく荷重により、画像表示面が横長状態もしくは縦長状態の常態位置に戻ることになる。従って、故障や停電に基づくエラー表示を行う場合に、予め常態位置となる横長状態もしくは縦長状態の画像表示面に対応した画像データ等を用意しておくことにより、横長画面に縦長画面用の表示が行われたり、縦長画面に横長画面用の表示が行われたりするのを防止することができる。また、通常の画像表示ユニットの回転においても、常態位置に戻るように回転する際に、より円滑に画像表示ユニットを回転させることができる。
【発明を実施するための最良の形態】
【００３４】
以下、この発明に係る実施形態の遊技機であるパチンコ遊技機について図１〜図１７を参照して説明する。
この実施形態のパチンコ遊技機は、遊技盤１裏面に取り付けられた後述する画像表示装置１０の構造を除いて、周知のパチンコ遊技機と同様の構成を有するものである。
すなわち、図１〜図３に示す遊技盤１の前面側の遊技領域区画壁２（ガイドレール）に囲まれた部分が遊技領域１ａとされ、この遊技領域１ａの前方側が透明なガラス板（図示略）を有する開閉可能なガラス枠（図示略）により遊技領域１ａが視認可能に閉塞されている。なお、遊技盤１は、遊技盤１を取り付けるための略正方形状の開口部を有する前面枠（図示略）に固定される。また、前面枠は、パチンコ遊技機を設置するための島設備に固定される矩形枠状の機枠（図示略）に、一側部が左右に回動自在に軸支された状態で取り付けられる。また、前記ガラス枠は、前面枠に、一側部を回動自在に軸支された状態で、かつ、前面枠の遊技盤１が取り付けられた部分の前面を覆うように取り付けられる。
【００３５】
また、パチンコ遊技機においては、遊技者の操作に基づいて遊技領域内に遊技球を１つずつ順次発射していく発射装置（図示略）を有し、遊技領域内に発射された遊技球が遊技領域内を流下することにより遊技を行うようになっている。すなわち、パチンコ遊技機は、前面側に遊技領域１ａを形成した遊技盤１を備え、該遊技領域１ａに遊技球を流下させて遊技を行うようになっている。また、パチンコ遊技機は、遊技球が入賞した場合に、賞球としての遊技球を払い出す排出装置が設けられている。
【００３６】
遊技盤１の前面側の遊技領域１ａとなる部分には、遊技球が入賞した場合に賞球を払い出す条件だけが成立する一般入賞口３，３、遊技球の流下方向を変動させる障害釘（図示略）や風車４，４と言われる方向変換部材、入賞しなかった遊技球を回収するアウト口１ｃが形成されている。
また、遊技盤１の遊技領域１ａのほぼ中央部に、複数の識別情報（特別図柄：特図）による特図の変動表示ゲームを表示可能な上述の画像表示装置１０を有する変動表示装置５が設けられ、変動表示装置５の下に特図の変動表示ゲームを開始する権利を付与する始動入賞口となる変動入賞装置６が設けられ、その下に特図変動表示ゲームが大当たり結果となった場合に開放される大入賞口を有する特別変動入賞装置７が設けられている。また、遊技盤１には、始動入賞口となる変動入賞装置６に遊技球が始動入賞して特図の変動表示ゲームが未処理となっている未処理回数（特図始動記憶数）を表示する特図記憶表示器が設けられるが、この例においては、変動表示装置５の画像表示装置１０の画像表示面１１に未処理回数が表示される普図記憶表示領域が有り、変動表示装置５（画像表示装置１０）が特図記憶表示器を兼ねている。
【００３７】
また、遊技盤１には、普図変動表示ゲームの始動条件を付与する普図始動ゲート８，８と、普図変動表示ゲームを表示する普通図柄表示器（図示略）と、普図始動ゲート８，８に遊技球が流入・通過して普図変動表示ゲームが未処理となっている未処理回数（普図始動記憶数）を表示する普図記憶表示器（図示略）とが設けられている。なお、この例においては、特図記憶表示器と同様に、普通図柄表示器及び普図記憶表示器をそれぞれ実際の構造として設けることなく、画像表示器１２の画像表示面１１に普通図柄表示領域を設け、この普通図柄表示領域において普通図柄表示器としての表示を行い、同様に画像表示面１１に普図記憶表示領域を設け、この普図記憶表示領域において普図記憶表示器としての表示を行うようになっている。従って、変動表示装置５（画像表示装置１０）が普通図柄表示器及び普図記憶表示器を兼ねている。
また、遊技盤１には、光による演出を行うためのサイドランプ９、９等が設けられている。
【００３８】
また、遊技盤１の裏面側には、図２に示すように画像表示装置１０が配置されるとともに、画像表示装置１０の裏面側に、画像表示装置１０の後述する画像表示器１２（液晶表示パネル）における画像表示を制御する演出制御装置６０を備えている。また、画像表示装置１０及び演出制御装置６０の下側には、後述の遊技制御装置７０（図１４に図示）を遊技盤１の裏面側に取り付けるための遊技制御装置取付部材１ｈが設けられている。なお、演出制御装置６０は、内部で２つの装置に別れており、後述するようにスピーカによる音の演出と、装飾ランプ・ＬＥＤ１５，１６（遊技盤１のサイドランプ９，９，変動表示装置５のＬＥＤ基板３５２，３５３のＬＥＤ等を含む）による発光の演出と、後述する画像表示器１２の回転の制御とを行う音・ランプ制御装置８０と、画像表示器１２の表示制御を行う表示制御装置９０とに別れている。なお、演出制御装置６０を、音・ランプ制御装置８０と、表示制御装置９０とに分けずに、１つの演出制御装置６０としても良い。
【００３９】
なお、パチンコ遊技機には、上述の制御装置に加えて、遊技球の入賞に基づく処理や、画像表示器１２における変動表示ゲームの開始、停止の処理や、変動表示ゲームの当り、大当たり、外れの決定の処理や、変動入賞装置６、特別変動入賞装置７の開閉の制御の処理等を行う遊技制御装置７０（図１４に図示）と、遊技球の発射を行う発射装置や、賞球の払い出しを行う排出装置を遊技制御装置７０の制御下で制御する排出・発射制御装置が設けられる。また、遊技制御装置７０は、遊技制御装置取付部材１ｈの位置に取り付けられ、排出・発射制御装置は、遊技盤１より下側に設けられる。
【００４０】
このようなパチンコ遊技機において、変動表示装置５は、図３に示すように、略中央部に変動表示装置５を取り付けるための開口部１ｂを有する遊技盤１に取り付けられている。
【００４１】
図１及び図３に示すように、遊技盤１には、その前面の遊技領域１ａ周囲の外側となる部分に遊技領域区画壁２の少なくとも一部を有するサイドケース１ｄが遊技盤１前面の遊技領域１ａの外側を覆うように設けられている。すなわち、ガラス枠のガラス板（二重ガラスの内側のガラス板）の裏面と遊技盤１の前面とサイドケース１ｄの内周面側に設けられた遊技領域区画壁２とで囲まれる部分が遊技領域１ａとなる。
また、遊技盤１には、前記開口部１ｂが変動表示装置５の後述する前面構成部材５１の形状に対応して左右対称で外周が複雑な曲線状に形成されている。遊技盤１の開口部１ｂの内周側は、枠状（筒状）に形成される前面構成部材５１の遊技盤１前面より後方部分が挿入され、遊技盤１の開口部１ｂに挿入された前面構成部材５１の内周となる開口部から、画像表示装置１０の画像表示面１１を前面側に臨ませる表示用窓部５２が形成されている。
すなわち、遊技盤１の開口部１ｂに枠状の前面構成部材５１を取り付けることで、遊技盤１に画像表示装置１０の画像表示面１１を前方に臨ませる表示用窓部５２が形成されることになる。
【００４２】
また、遊技盤１には、前記開口部１ｂの下側に、特別変動入賞装置７等を取り付けるために入賞開口部１ｅが設けられ、入賞開口部１ｅ左右側方に、それぞれサイドランプ９，９及び一般入賞口３，３を取り付けるランプ開口部１ｆ，１ｆが設けられている。また、遊技盤１の開口部１ｂの上部の左右側方には、サイドランプ９，９の上部が配置されるランプ上部開口部１ｇ，１ｇが設けられている。
【００４３】
このような遊技盤１に取り付けられる変動表示装置５は、遊技盤１の開口部１ｂに対して前方側から取り付けられるとともに、画像表示装置１０の画像表示面１１を前面側に臨ませるための前記表示用窓部５２を遊技盤１に設ける前面構成部材５１と、遊技盤１の裏面側に配設される前記画像表示装置１０とを備えている。
【００４４】
従って、この実施形態のパチンコ遊技機は、遊技盤１に形成された表示用窓部５２から矩形状の画像表示面１１を前面側に臨ませるように画像表示装置１０を該遊技盤１の裏面側に配設したものである。
【００４５】
前記前面構成部材５１は、図１及び図３に示すように、内側が表示用窓部５２とされた枠状（筒状）に形成されている。そして、前面構成部材５１は、遊技盤１の前面側から裏面側に遊技盤１の開口部１ｂに挿入された状態となっており、開口部１ｂの内周に沿って筒状の形状を有し、該筒状の部分の奥側の開口を閉塞するように画像表示装置１０の前面が配置されている。なお、画像表示装置１０の画像表示面１１が配置される前面の表示用窓部５２に対応する部分には、後述の透明な前面カバー２４２が設けられており、この前面カバー２４２を介して表示用窓部５２から画像表示面１１を視認可能となっている。
【００４６】
そして、前面構成部材５１は、その内周となる表示用窓部５２が前方に開放された凹室を形成しており、凹室の底部（後端部）となる部分に上記前面カバー２４２を介して画像表示面１１が配置されるようになっている。すなわち、前面構成部材５１は、筒状に奥行きを持った前方に開口する凹室を形成し、該凹室の奥に画像表示面１１が配置されるようになっている。
【００４７】
また、前面構成部材５１は、変動表示装置５を有する一般的なパチンコ遊技機と同様に、取付基板５３と、鎧部材５４と、図示しないワープ装置と、ステージ５５とを備える。
取付基板５３は、前面構成部材５１の上述の筒状部分の前端部の全周に渡って、鍔状に外側に拡がって形成される。そして、取付基板５３は、変動表示装置５の装飾の一部となっている。そして、取付基板５３の裏面を遊技盤１の前面に当接させることで、遊技盤１に対して前面構成部材５１が位置決めされ、この状態で、取付基板５３を遊技盤１にネジ止めすることにより、遊技盤１に前面構成部材５１が固定されるようになっている。
【００４８】
前記鎧部材５４は、前面構成部材５１の上部において、前方に向かって遊技領域１ａ内に突出して形成され、鎧部材５４の前端が遊技領域１ａの前側を規制するガラス枠の内側のガラス板の裏面近傍に配置される。そして、鎧部材５４は、遊技球が変動表示装置５の上側から表示用窓部５２内に進入するのを防止し、画像表示面１１の視認性を確保するとともに、画像表示面１１を保護するようになっている。さらに、ステージ５５上への遊技球の変動表示装置５上部からの流入を制限するようになっている。
【００４９】
ワープ装置は、変動表示装置５の外部（例えば、変動表示装置５の上方もしくは左右側方）から遊技球を表示用窓部５２の底部を構成するステージ５５上に誘導する。
【００５０】
ステージ５５は、筒状の表示用窓部５２となる前面構成部材５１の内周面の下部となる底面を構成するとともに、表示用窓部５２内に前記ワープ装置により誘導される遊技球と外部から撥ねて進入する遊技球をステージ５５上からステージ５５の下の変動入賞装置６に誘導し、ステージ５５上に載った遊技球を他の遊技球より高い確率で変動入賞装置６に入賞させるものである。
【００５１】
画像表示装置１０は、図３〜図５に示すように、遊技盤１の裏面側に取り付けられる裏面構成部材２０と、裏面構成部材２０に取り付けられるとともに、回動動作に応じて画像表示面１１の上下左右の関係を変更可能に構成される画像回動装置３０と、画像回動装置３０（の画像表示ユニット３２）を回動させるための電気的駆動源（モータ３４２）とを備えている。なお、モータ３４２は、画像表示ユニット３２を回動させる駆動装置３４の一部となる。
また、画像回動装置３０は、回動軸３１が設定され、画像表示面１１およびその周辺を装飾する周辺装飾部材３６を有する画像表示ユニット３２と、この画像表示ユニット３２を回動可能に軸支するとともに、該画像表示ユニット３２の裏面側所定部位を収納する収納部材３３とを備えている。
【００５２】
裏面構成部材２０は、前方が開放された概略箱状に形成され、その開放された前端部を遊技盤１裏面に当接させて遊技盤１に固定されるようになっている。なお、裏面構成部材２０の前端部には、複数箇所に遊技盤裏面と平行となる取付板部２１、…が設けられ、該取付板部２１、…が遊技盤１裏面にネジ止めされて裏面構成部材２０を遊技盤１裏面に固定するようになっている。
【００５３】
また、裏面構成部材２０は、前方が開放した箱の底部となる裏面板２２に、円形開口部２３が形成されている。この円形開口部２３は、円形の画像表示ユニット３２の前面を臨ませるものであり、画像表示ユニット３２の円形の前面（後述の前方円盤部材３７の前面）の径よりも僅かに大きくなっている。なお、裏面板２２は、前方が開放した概略箱状の底部となることから、遊技盤１の裏面から後方に離間して、遊技盤１の裏面に対して平行に配置される。
【００５４】
裏面板２２前面の円形開口部２３の周縁部には、円周に沿って前方に突出するカバー取付部２４が備えられている。そして、カバー取付部２４には、円周に沿ってほぼ等間隔に四ヶ所にネジ止め部２４１が設けられ、該ネジ止め部２４１においては、円形開口部２３の周縁部が円からずれて少し外方に突出した形状とされ、カバー取付部２４も円に対して外方に突出した状態とされている。そして、このネジ止め部２４１において円から外に突出した空間が後述するローラ２５２の配置空間となっている。
【００５５】
そして、このカバー取付部２４に対応した円形状の前面カバー２４２が、カバー取付部２４に外周縁部を沿わせた状態で取り付けられている。前面カバー２４２は、透明な合成樹脂からなり、画像表示面１１の回転範囲の前側を覆って、画像表示面１１を保護している。なお、前面カバー２４２は、その外周部の前記ネジ止め部２４１に対応する部分が円より外側に突出した形状とされるとともに、突出した部分がネジ止め部２４１にネジ止めされている。また、前面カバー２４２のネジ止め部２４１に対応する４つの突出部分同士の間となる四ヶ所に円より内側に円周に沿って凹んだ形状の凹部が形成され、前面カバー２４２の凹部の周縁と、カバー取付部２４の内周縁との間に円弧状の間隙部２４３が形成されている。
【００５６】
前面カバー２４２は、筒状の前面構成部材５１の後端面に当接もしくは近接して、前面構成部材５１の前記凹部の底部となるが、前面構成部材５１の内周の径よりも前面カバー２４２の径が大きくされ、前記間隙部２４３は、前面構成部材５１の内周となる表示用窓部５２よりも外側となり、表示用窓部５２から見えないようになっている。そして、後述するように画像表示器１２を備える画像表示ユニット３２は、裏面構成部材２０及び収納部材３３にほぼ全体を覆われた状態となるが、上述の間隙部２４３により発熱する画像表示器の熱を効果的に排熱できるようになっている。
【００５７】
また、裏面構成部材２０の裏面板２２の裏面には、円形開口部２３の外周（円周）に沿って後方側に円形状に立設した円形壁部２５が形成されている。円形壁部２５は、収納部材３３の円形状の後述する周囲壁部３３１の前端部とほぼ同じ径に形成されている。
なお、裏面構成部材２０の裏面板２２の前側のカバー取付部２４と、裏面側の円形壁部２５と、円形開口部２３とは、同心円状に配置されるが、円形壁部２５の方がカバー取付部２４よりも僅かに大きな径に形成されている。従って、裏面板２２において円形壁部２５は、円形開口部２３の周縁より僅かに外側に配置される。
【００５８】
円形壁部２５の後端面は、裏面構成部材２０に収納部材３３を取り付けた際に、収納部材３３の周囲壁部３３１の前端面と当接し、円形壁部２５と周囲壁部３３１とで一体の筒となるようになっており、この筒内に、画像表示ユニット３２が配置されるようになっている。すなわち、裏面構成部材２０に収納部材３３に対応して後方側に円形状に立設した円形壁部２５を形成することで、収納部材３３を裏面構成部材２０に取り付けた際に、内部に画像表示ユニット３２が収納される収納空間を形成するように構成されている。
【００５９】
また、円形壁部２５には、上述のカバー取付部２４のネジ止め部２４１と前後に重なる四ヶ所の位置にそれぞれローラ取付部２５１，…が形成されている。
ローラ取付部２５１，…には、それぞれ、筒状のローラ２５２，…を回転自在に支持する支持軸（図示略）が前後方向に沿って固定されている。そして、支持軸が筒状のローラ２５２に貫通した状態で、支持軸がローラ２５２を支持軸の軸回りに回転自在に支持している。また、円形壁部２５のローラ取付部２５１において、支持軸の後部が円形壁部２５の後端面より後方に突出している。そして、ローラ取付部２５１は、支持軸の後部の周囲を覆う筒状の支持軸固定部を有し、支持軸固定部が円形壁部２５の他の部分より後方に突出した状態となっている。一方、支持軸の前部は、裏面板２２の円形開口部２３を介して裏面板２２より僅かに前方に突出して露出した状態となっている。
【００６０】
ローラ２５２，…は、前記ローラ取付部２５１に対応して設けられるが、例えば、円形壁部２５の真上となる位置を０度とした場合に、約４５度、約１３５度、約２２５度、約３１５度というようにほぼ９０度置きに配置されている。また、ローラ２５２，…は、その外周面の円形壁部２５の内側となる中心側を向いた部分が円形壁部２５、カバー取付部２４及び円形開口部２３の内周面より僅かに内側に配置されており、円形壁部２５及びカバー取付部２４の内側に配置される画像表示ユニット３２の前方円盤部材３７の外周に接触可能となっている。なお、画像表示ユニット３２の前面の前後位置は、ほぼ、裏面構成部材２０の裏面板２２より僅かに前の位置となり、画像表示ユニット３２の前端部が裏面板２２の円形開口部２３内に入った状態となっている。
【００６１】
また、前記前面カバー２４２は、裏面板２２から前方の突出したカバー取付部２４の前端面に取り付けられるので、前面カバー２４２は、裏面板２２より僅かに前となるが、遊技盤１の裏面からは、後方に離間し、遊技盤１の裏面から後方に突出する前面構成部材５１の後端部に近接もしくは当接した状態となる。
従って、ローラ２５２，…は、前記ローラ取付部２５１の位置である円形壁部２５の内周所定部位に設けられ、画像表示ユニット３２の前方円盤部材の円周部（外周部）と接触して前方円盤部材３７を回動可能に支持している。
【００６２】
裏面板２２の裏面側の円形壁部２５の周囲には、円形開口部２３の中心回りに６０度毎にネジ止めボス２５３，…が配置されている。該ネジ止めボス２５３，…は、裏面構成部材２０の裏面板２２に収納部材３３を固定するためのものである。
また、裏面板２２の円形壁部２５に近接する位置には、モータ取付部２６が設けられている。
【００６３】
モータ取付部２６は、円形壁部２５に隣接する位置に設けられ、この例では、左右に長い略矩形状の裏面構成部材２０の後方から見て右下隅部に形成されている。そして、モータ取付部２６は、裏面板２２から後方に延出するように立設された囲い壁２６１を有する。囲い壁２６１は、画像表示ユニット３２を回転駆動するモータ３４２の回転軸に固定された駆動ギア３４１の周囲を囲むように形成さているが、駆動ギア３４１の円形壁部２５側の一部は、円形壁部２５より後方側において、円形壁部２５の内側に入り込んだ状態となっており、囲い壁２６１は、駆動ギア３４１の周囲のうちの円形壁部２５及びその内側と重なる部分を除く部分を囲むように形成され、円形壁部２５に臨む部分は開放した状態となっている。
【００６４】
囲い壁２６１の周囲には、モータ３４２が固定された固定プレート３４３を取り付けるための複数のモータ取付ボス２６２，…が設けられている。なお、囲い壁２６１の一部及び複数のモータ取付ボス２６２のうちの一部は、裏面板２２ではなく、裏面板２２の下側に形成される後述の回収球流路部材２８，２８の裏面から後方に立設されている。
固定プレート３４３は、遊技盤１裏面と平行となるように囲い壁の後端面に当接するように配置され、モータ取付ボス２６２にネジ止めされている。また、固定プレート３４３は、その本体部の後方から見て右側の側縁部に本体部に対して直角に前方の屈曲する屈曲部を有し、該屈曲部が囲い壁２６１の外側に形成されたスリットを有する固定部のスリットに挿入されて位置決めされた状態となっている。
【００６５】
また、固定プレート３４３の裏面側にモータ３４２の前面がネジ止めされた状態で固定されるとともに、モータ３４２の回転軸が固定プレート３４３に対して直交するように固定プレート３４３の裏面側から前面側に貫通して固定プレート３４３の前方に延出している。
そして、モータ３４２の回転軸には、駆動ギア３４１が固定されている。なお、回転軸の先端部は、裏面板２２の近傍まで延出しているが、駆動ギア３４１は、回転軸の基部側に固定され、前記ローラ２５２の支持軸の後端部より後方に配置されている。また、駆動ギア３４１の中心部の回転軸が固定される部分は、細長い筒状に形成されているとともに、駆動ギア３４１の本体よりも前方に延出し、回転軸の駆動ギア３４１より前側の部分全体を覆うことにより、回転軸に強固に固定されている。
【００６６】
また、この例のおいて、電気的駆動源となるモータ３４２は、回転軸の回転角度を精密に制御可能なステッピングモータが用いられている。ステッピングモータは、駆動用の電力がパルスで入力され、入力されるパルス数で回転角度を制御可能で、かつ、パルスの間隔で速度を制御可能となっている。そして、モータ３４２は、演出制御装置６０の音・ランプ制御装置８０に制御されるようになっている。
そして、駆動ギア３４１は、一部が上述のように円形壁部２５の後方側で円形壁部２５の内側となっているので、裏面構成部材２０に収納部材３３を取り付けた場合に、駆動ギア３４１の一部は、収納部材３３の周囲壁部３３１における後述の開口部３３２の位置で、周囲壁部３３１の内側に配置される。
【００６７】
そして、モータ３４２と、モータ３４２に回転軸に固定された駆動ギア３４１とから駆動装置３４が構成され、該駆動装置３４が画像表示ユニット３２を回転駆動するようになっている。
【００６８】
そして、周囲壁部３３１の駆動ギア３４１が入り込む部分には、開口部３３２（図１１に図示）が形成されている。なお、開口部３３２は、周囲壁部３３１と円形壁部２５とを合わせた際に穴状の開口部３３２となるが、周囲壁部３３１単独では、切欠部となっている。従って、裏面構成部材２０には、収納部材３３の周囲壁部３３１に形成された開口部３３２から駆動ギア３４１が周囲壁部３３１と円形壁部２５との内側となる収納空間内に臨むように駆動装置３４が配置されている。
【００６９】
また、裏面構成部材２０の後方から見て左端部には、収納部材３３の後方から見て左側部より後方に演出制御装置６０を配置するための演出制御取付部２７が設けられている。
演出制御取付部２７には、前方に開放するとともに後方に突出する箱状の凸部が裏面構成部材の上下に渡って複数形成されるとともに、凸部の後端面に演出制御装置６０のケースの前面が当接する固定リブ２７１が上下に一直線上に並んで形成されている。
また、固定リブ２７１の後方から見て左側には、上下に並んで複数のネジ止めボス２７２，２７２が形成され、該ネジ止めボス２７２に演出制御装置６０のケースがネジ止めされるようになっている。
【００７０】
なお、演出制御取付部２７は、演出制御装置６０の後方から見て左側部を固定するようになっており、演出制御装置６０の右側部は、後述するように収納部材３３に固定される。
また、裏面構成部材２０の下部の左右には、それぞれ、一般入賞口３から入賞した遊技球を流入させて下側の遊技球回収経路に導出する回収球流路部材２８，２８が一体に設けられている。なお、回収球流路部材２８，２８には、一般入賞口センサ３ａ，３ａが取り付けられるようになっている。
また、裏面構成部材２０の背面板の前面には、その上端部の左右にサイドランプ９，９の上部の構成要素となる盤面用ＬＥＤ基板（図示略）が設けられている。盤面用ＬＥＤ基板は、その前面に電気的発光部材としてのＬＥＤを複数搭載されている。また、盤面用ＬＥＤ基板は、円形開口部２３の上部の左右側方に配置されるとともに、裏面構成部材２０を遊技盤１に取り付けた際に、遊技盤１のランプ上部開口部１ｇ，１ｇと重なり、ランプ上部開口部１ｇ，１ｇに取り付けられたレンズ部材を後方からＬＥＤにより照らすようになっている。なお、サイドランプ９，９の上端部を除く本体は、遊技盤１のランプ開口部１ｆ，１ｆに電気的発光部材を搭載した基板や、レンズ部材等が取り付けられるようになっている。
【００７１】
画像表示ユニット３２は、図６〜図１０に示すように、画像表示面１１を有する画像表示器１２が前面側に配設されるとともに、前記回動軸３１が設けられる円盤状の後方円盤部材３５と、この後方円盤部材３５の前方側に配設され、周辺装飾部材３６が設けられるとともに、画像表示器１２の画像表示面１１を臨ませる表示用開口部３８が形成される円盤状の前方円盤部材３７とから構成される。また、前方円盤部材３７と後方円盤部材３５との間に画像表示器１２が位置するように該前方円盤部材３７と後方円盤部材３５との間に所定間隔を設けて相互に取り付けられている。
【００７２】
後方円盤部材３５は、透明な合成樹脂からなる円盤状の後方円盤部材本体３５１と、その前面側に配設される画像表示器１２と、後方円盤部材本体３５１の前面から後方に貫通した状態の回動軸３１と、後方円盤部材本体３５１の裏面側に取り付けられた上下のＬＥＤ基板３５２，３５３と、後方円盤部材３５の常態位置（原点位置）における下部の周縁部に取り付けられたギア部材３９と、画像表示ユニット３２の回転角度を規制するための突起部材４０と、画像表示ユニット３２が後述する特定の角度となったことを光学的に検出するための遮光板４１と、画像表示器１２の導線を中継する第１中継基板４２とを有するものである。なお、ここでは、画像表示ユニット３２は、画像表示面１１が横長状態となった場合を常態位置としているが、後述するように画像表示面１１が縦長状態となった場合を常態位置としても良い。
【００７３】
後方円盤部材本体３５１は、前方円盤部材３７より僅かに小さな径の円盤状に形成され、裏面側の中央に回動軸３１を固定する固定筒部３５ａが後方に突出して形成され、回動軸３１の前端部が固定筒部３５ａ内に挿入されて固定され、さらに前面側に画像表示器１２が固定されている。すなわち、後方円盤部材本体３５１は、前方側に画像表示器１２を配設するとともに、後方側に回動軸３１を突設したものである。
また、後方円盤部材本体３５１の裏面の外周部には、後述のギア取付部３５ｄを除いて外周に沿って後方に突出する補強用のリブ３５４が形成されている。なお、リブ３５４は、後方円盤部材本体３５１の前方円盤部材３７とのネジによる接合部に隣接する位置において、後方円盤部材本体３５１の外周から内側に離れる凹部状に形成され、前記接合部をさらに補強するようになっている。
また、後方円盤部材本体３５１の径は、左右に長い矩形状の画像表示器１２の外接円の径より僅かに長いものとなっている。
【００７４】
また、後方円盤部材本体３５１の裏面には、原点位置での上部に後方に突出するリブで囲まれた上基板取付部３５ｂが形成され、下部に後方に突出するリブで囲まれた下基板取付部３５ｃが形成されている。上基板取付部３５ｂ及び下基板取付部３５ｃは、後方円盤部材本体３５１の上部及び下部において、左右に渡って形成されている。
そして、上基板取付部３５ｂに上のＬＥＤ基板３５２が取り付けられ、下基板取付部３５ｃに下のＬＥＤ基板３５３が取り付けられるようになっている。また、後方円盤部材本体３５１の上基板取付部３５ｂ及び下基板取付部３５ｃには、それぞれ、ＬＥＤ基板３５２，３５３に搭載される電気的発光部材としてのＬＥＤの位置に対応して開孔部３５６，…（貫通孔）が形成され、後方円盤部材本体３５１の裏面側から前面側にＬＥＤの光を透過するようになっている。
【００７５】
後方円盤部材本体３５１は、透明なので、光を透過可能であるが、開孔部３５６を設けることでＬＥＤの一部を開孔部３５６内に挿入可能となり、後方円盤部材本体３５１の裏面とＬＥＤ基板３５２，３５３との距離を短くしてコンパクトにＬＥＤ基板３５２，３５３を配置できるとともに、後方円盤部材本体３５１の裏面側から前面側に光を透過する際に、後方円盤部材本体３５１の影響を排除することができ、かつ、ＬＥＤ基板３５２，３５３と後方円盤部材本体３５１との間に熱がこもるのを防止できる。
【００７６】
また、後方円盤部材本体３５１の裏面側において、上基板取付部３５ｂの後方から見て左下部となる位置のリブには、リブと一体となるように突起部材基部４０ａが形成され、この突起部材基部４０ａに突起部材基部４０ａと共に突起部材４０を構成する筒状の金属部材４０ｂが取り付けられるようになっている。
また、後方円盤部材本体３５１の裏面側の下基板取付部３５ｃの後方から見て右上には、下基板取付部３５ｃに隣接して、後方に突出するリブで囲まれた中継基板取付部４２ａが形成され、中継基板取付部４２ａには、第１中継基板４２が取り付けられるようになっている。なお、下基板取付部３５ｃと中継基板取付部４２ａとを囲むリブは一体に形成され、下基板取付部３５ｃと中継基板取付部４２ａとの境界部分には、リブが設けられていない。
【００７７】
また、後方円盤部材本体３５１の原点位置での最下端となる位置から円周（外周）に沿って左右に所定角度（約４５度）の範囲で、かつ、外周縁から僅かに内側となる位置に、円周に沿って設けられ、かつ、後方に突出するリブによりギア取付部３５ｄが形成されている。このギア取付部３５ｄにギア部材３９となる部材が取り付けられる。なお、ギア取付部３５ｄのリブの両端部は、半径方向に沿うように屈曲して、後方円盤部材本体３５１の周縁に至るように形成されている。
【００７８】
また、後方円盤部材本体３５１の裏面側には、上基板取付部３５ｂの下側で、前記突起部材基部４０ａと固定筒部３５ａ（回動軸３１）とを結ぶ後方円盤部材本体３５１の半径方向に沿った線分上に、後方に突出するリブで囲まれた遮光板取付部３５ｆが形成され、遮光板取付部３５ｆに遮光板４１が取り付けられるようになっている。
【００７９】
また、後方円盤部材本体３５１の前面側には、画像表示器１２の四隅部に対応する位置に４つのネジ止め部が形成され、該ネジ止め部にそれぞれネジ用の貫通孔３５ｇ，…が形成されている。
【００８０】
また、後方円盤部材本体３５１の前面側の外周部には、ほぼ９０度毎に４つのネジ止め筒部３５ｈ，…が形成されている。このネジ止め筒部３５ｈ，…は、前方円盤部材３７とのネジによる接合部となるもので、ネジ用の貫通孔を有するとともに、後述する前方円盤部材３７の取付ボス３７２，…の先端部が挿入可能な筒状に形成されており、後方円盤部材３５と前方円盤部材３７との取付時に容易に位置決めできるようになっている。
【００８１】
画像表示器１２は、この例において、前方円盤部材３７と後方円盤部材３５との間に配置されることからパネル状である必要があり、ＬＣＤやＥＬ等のパネル状のディスプレイを用いることができるが、この例ではＬＣＤを用いている。すなわち、画像表示器１２は、液晶表示パネルにより構成されている。なお、画像表示器１２には、液晶表示パネル用の導線と、バックライト用の導線とが接続されており、これらの導線は、後方円盤部材本体３５１の前面側の画像表示器１２から後方円盤部材本体３５１の裏面側に配置された第１中継基板４２まで後方円盤部材本体３５１に形成された導線用のスリット及び孔を通って引き回されている。
回動軸３１は、金属製で、画像表示ユニット３２を遊技盤１に配置した状態で、演出制御装置６０よりも後方まで延出するように長く形成されている。例えば、回動軸３１の長さは、後方円盤部材本体３５１の半径の２／３より長く、半径より僅かに短いものとなっている。
【００８２】
ＬＥＤ基板３５２，３５３は、上述のように発光部材としてのＬＥＤを複数搭載されており、それらの導線は、後方円盤部材本体３５１の裏面側から後方に引き出される。
そして、これらＬＥＤ基板３５２，３５３は、後方円盤部材本体３５１の上述の上基板取付部３５ｂ及び下基板取付部３５ｃに取り付けられる。
従って、後方円盤部材３５は、発光部材（ＬＥＤ）を複数搭載し、後方円盤部材本体３５１に形成される複数の開孔部３５６から対応する発光部材を臨ませるように、当該後方円盤部材本体３５１の裏面側に配設される基板（ＬＥＤ基板３５２，３５３）を備えている。言い換えれば、後方円盤部材３５には、前記周辺装飾部材３６を後方から発光する発光部材（ＬＥＤ）が配設されている。
【００８３】
ギア部材３９は、後方円盤部材本体３５１の上述のギア取付部３５ｄに取り付けられる円弧状の金属製の部材で、円弧の外周側となる側縁部に山と谷とを繰り返す歯車の歯が多数形成され、後方円盤部材本体３５１（画像表示ユニット３２）の外周に沿った円弧状の従動ギアを形成している。また、後方円盤部材本体３５１にギア部材３９を取り付けた状態で、ギア部材３９の歯となる部分は、後方円盤部材本体３５１の外周よりも外側に配置される。これにより、後方円盤部材３５の下部の外周に歯車の歯が形成された状態となる。この後方円盤部材３５の歯は、上述の駆動ギア３４１と歯合する（噛み合う）ようになっている。
【００８４】
従って、画像表示ユニット３２は、矩形状の画像表示面１１の一方の長辺（常態で下側の長辺）の中心を通る当該画像表示ユニット３２の半径方向に沿った線分と当該画像表示ユニット３２の周縁との交点から円周に沿って左右の所定範囲部分に、前記モータ３４２に駆動される駆動ギア３４１と歯合する円弧状の従動ギアを備えた金属製のギア部材３９が設けられている。これにより、前面側に矩形状の画像表示面１１を臨ませた円盤形状に形成された画像表示ユニット３２は、回動されている変換位置から前記画像表示面１１が横長状態となる常態位置に回動するように重心位置を設定していることになる。
【００８５】
なお、画像表示面１１が縦長状態となった場合を、画像表示ユニット３２の常態位置としても良く、この場合には、上記長辺を短辺とする。また、画像表示面１１の重心（もしくは中心）は、画像表示ユニット３２の回転中心と一致するように配置されている。
また、画像表示面１１の一方の長辺（もしくは一方の短辺）の中心を通る当該画像表示ユニット３２の半径方向に沿った線分は、ギア部材３９の重心上をほぼ通るようになっている。
また、画像表示ユニット３２を回動させるための駆動ギア３４１と歯合するギア部材３９を当該後方円盤部材３５の周縁部所定範囲に設けたことになる。
【００８６】
また、駆動ギア３４１は、後方円盤部材３５の斜め下側に配置され、後方円盤部材３５の真上となる方向を０度とした場合に、駆動ギア３４１は、後方円盤部材３５の略１３５度（所定角度）となる部分で噛み合うようになっている。また、後方円盤部材３５は、この例において、例えば、原点位置から右回り（時計回り）に９０度回転するように設計されており、ギア部材３９は、後方円盤部材３５の１３５度より僅かに手前から２２５度より僅かに先まで形成されている。
【００８７】
以上のようにギア部材３９を配置するとともに駆動ギア３４１を配置することで、モータ３４２の駆動により、画像表示器１２の左右に長い矩形状の画像表示面１１を左右に長い横の状態から上下に長い縦の状態に回転駆動（画像表示面１１の上下左右の関係を変更）することが可能となる。
【００８８】
突起部材４０は、上述のように９０度の範囲で回転する画像表示ユニット３２を２カ所の所定位置（原点位置と、原点位置から９０度だけ時計回りに回った回転位置）で止めるためのもので、原点位置（常態位置）と回転位置（非常態位置）とにおいて、突起部材４０は、ストッパとなる収納部材３３に形成された回動規制部材４４１，４４２に当接するようになっている。
また、突起部材４０は、後方円盤部材本体３５１の回転中心から半径方向に後方円盤部材本体３５１の半径の半分より長い距離（所定間隔）だけ離れて配置されている。この例では、前記半径の２／３程度の後方円盤部材本体３５１の回動中心より離れた位置に突起部材４０が形成されている。
【００８９】
また、後方円盤部材本体３５１に形成された上述の突起部材基部４０ａに円筒状の金属部材４０ｂを金属部材４０ｂを貫通するネジで固定することで、全体として円柱状の突起部材４０が後方に突出して形成される。また、金属部材４０ｂは、磁石に吸着される強磁性体（例えば、鉄）から構成されている。
【００９０】
そして、後方円盤部材３５の裏面が画像表示ユニット３２の裏面を構成することから、画像表示ユニット３２の裏面側であって回動中心から外側に所定間隔設けた位置に、後方側に向けて突起部材４０を突設したことになる。また、突起部材４０は金属部材４０ｂを有する。
【００９１】
遮光板４１は、後方円盤部材本体３５１の裏面に沿って配置される取付板４１ａと、取付板４１ａから後方に突出するように立設された遮光板本体４１ｂからなる。
また、遮光板４１は、遮光板取付部３５ｆに取り付けた状態で、後方円盤部材本体３５１の回動中心と突起部材４０との間に配置される。
また、遮光板本体４１ｂは、遮光板４１の配置における回動中心からの距離に対応した半径の円弧板状に形成されている。そして、遮光板本体４１ｂの原点位置から回転位置への回転方向（往路）の後尾側端部（復路の先端側端部）は、後方円盤部材本体３５１の回動中心と突起部材４０とを結ぶ線状に配置され、往路の先頭側端部は、後尾側端部に対して１ｃｍほど回転方向の前側に配置されている。
【００９２】
第１中継基板４２は、上述のように、後方円盤部材本体３５１の裏面側の中継基板取付部４２ａに取り付けられ、後方円盤部材本体３５１の前面側の画像表示器１２のＬＣＤ用導線とバックライト用導線とが接続される。また、第１中継基板４２からは中継されたＬＣＤ用導線が収納部材３３の後述する第３中継基板に接続され、中継されたバックライト用導線が後述する第２中継基板に接続されている。
【００９３】
前方円盤部材３７は、前方円盤部材３７を後方円盤部材３５に取り付けるための取付ボス３７２，…が後方側に立設された前方円盤部材本体３７１と、前方円盤部材本体３７１の裏面側に配設され、前記周辺装飾部材３６を構成するレンズ部材３６１を有するとともに、該画像表示器１２を収納可能に後方側に立設された収納壁部３６２を有する中間部材３６４とを備えている。
【００９４】
前方円盤部材本体３７１は、後方円盤部材本体３５１より僅かに大きな径を有する円盤状に形成されている。なお、前方円盤部材本体３７１の径は、後方円盤部材３５のギア部材３９の歯の頂点から回転中心までの距離とほぼ等しくなっている。
前方円盤部材本体３７１の裏面の外周部には、円周に沿って後方に突出する円環状の外周リブ３７３が形成されている。また、前方円盤部材３７の裏面側において、後方円盤部材本体３５１のネジ止め筒部３５ｈに対応する外周部のほぼ９０度ずつ間隔を開けた位置にそれぞれ取付ボス３７２，…が形成されている。取付ボス３７２，…は、前方円盤部材本体３７１の裏面と後方円盤部材本体３５１の前面との間に、画像表示器１２を配置可能な長さを有するもの、すなわち、画像表示器１２の厚みより僅かに長いものとなっている。また、前方円盤部材本体３７１には、画像表示器１２の画像表示面１１を前面に臨ませる矩形状の表示用開口部３８が形成されている。表示用開口部３８は、ワイド画面となっている画像表示面１１に対応して、例えば、縦横比が９：１６等の横長となっているとともに、ほぼ前方円盤部材本体３７１の上下左右の真ん中となるように配置されている。また、前方円盤部材本体３７１の表示用開口部３８の周縁部には、表示用開口部３８の全周に渡って後方に突出する開口リブ３８１が形成されている。
【００９５】
また、前方円盤部材本体３７１の前面は、画像表示面１１を露出させる表示用開口部３８を除いて、周辺装飾部材３６の構成要素の１つとなっている。そして、前方円盤部材本体３７１には、周辺装飾部材３６の構成要素となり、かつ、前方円盤部材本体３７１の裏面側に配置される中間部材３６４のレンズ部材３６１を露出させる装飾開口部３７ａが形成されている。装飾開口部３７ａは、その形状が装飾としての意匠性を有するように、例えば、画像表示面１１で表示されるキャラクタや背景等に関連するデザインや、遊技盤１前面に描かれる絵に関連するデザインとされている。
【００９６】
また、装飾開口部３７ａは、前方円盤部材本体３７１の表示用開口部３８の上方及び下方に１つもしくは複数設けられている。また、装飾開口部３７ａは、前方円盤部材本体３７１の裏面側に配置されるレンズ部材３６１を前方円盤部材本体３７１の前側から視認可能とすると共に、レンズ部材３６１の後方の後方円盤部材３５のＬＥＤ基板３５２，３５３から照射される光をレンズ部材３６１を介して前方に投光可能とするものである。また、前方円盤部材本体３７１の裏面側の装飾開口部３７ａの周囲の少なくとも一部には、後方に突出する装飾開口部リブが形成されている。
【００９７】
中間部材３６４は、前方円盤部材本体３７１の裏面の外周リブ３７３と開口リブ３８１の間に配置される板状に形成されるとともに、開口リブ３８１が挿入される左右に長い矩形状の表示用開口部３８より僅かに大きな左右に長い矩形状の中間開口部３６ａが形成されている。
また、中間部材３６４は、前記中間開口部３６ａの周囲に、中間開口部３６ａの外周に沿って中間開口部３６ａより外側に僅かに間隔をあけるように中間開口部３６ａより僅かに大きな矩形状に形成され、かつ、後方に突出する収納壁部３６２を有する。
中間開口部３６ａは、画像表示器１２の画像表示面１１のみを露出するように、画像表示器１２の外周の内側に配置されるようになっており、その中間開口部３６ａより外側で画像表示器１２の外周を囲む前記収納壁部３６２が配置されている。
【００９８】
そして、前方円盤部材本体３７１と後方円盤部材本体３５１との間に配置される画像表示器１２の周囲が収納壁部３６２に覆われた状態となる。なお、中間部材３６４の収納壁部３６２の部分は、後方が開放された四角箱状で、前面板となる部分に中間開口部３６ａが形成されて額縁状となっている。従って、画像表示器１２は、画像表示面１１を中間開口部３６ａから外側に露出し、背面が後方円盤部材本体３５１に取り付けられた状態で、収納壁部３６２に収納された状態となる。
【００９９】
また、収納壁部３６２は、前方円盤部材本体３７１の裏面に、中間部材３６４を取り付けた状態で、前方円盤部材本体３７１裏面から後方側に突出した状態となるが、その後端部の位置が、前記取付ボス３７２，…とほぼ同じか僅かに後方となっている。従って、前方円盤部材３７の取付ボス３７２，…の後端部を後方円盤部材３５のネジ止め筒部３５ｈ，…に挿入させた状態で、取付ボス３７２，…にネジ止め筒部３５ｈの部分で後方円盤部材本体３５１をネジ止めすることにより、前方円盤部材本体３７１と後方円盤部材本体３５１とを接合した場合に、ネジを締め付けると、収納壁部３６２の後端面が後方円盤部材本体３５１の前面に当接し、前方円盤部材本体３７１の裏面と、後方円盤部材本体３５１の前面との間隔が収納壁部３６２により確保されるとともに規制された状態となる。すなわち、中間部材３６４の収納壁部３６２により、前方円盤部材３７と後方円盤部材３５の間隔が確保される。
【０１００】
中間部材３６４の収納壁部３６２より外側は、レンズ部材３６１となっており、この例では、収納壁部３６２の上側と下側とがそれぞれレンズ部材３６１となっている。また、レンズ部材３６１の一部が前記装飾開口部３７ａから露出するようになっており、レンズ部材３６１の装飾開口部３７ａから露出する部分には、上述の周辺装飾部材３６のデザインに対応した装飾が施されている。
【０１０１】
収納部材３３は、概略円盤状の背面板３３３と、この背面板３３３の外周部から前方に円筒状に突出する周囲壁部３３１と、背面板３３３の裏面中央部から後方に突出する中空ボス３３４と、背面板３３３の前面となる収納部材３３の内面に設けられる第１及び第２回動規制部材４４１，４４２と、画像表示ユニット３２の回動動作を停止させるために当該画像表示ユニット３２（モータ３４２）の回動位置を検出する検出手段となる第１及び第２位置検出装置４６１，４６２とを有する。
また、収納部材３３は、背面板３３３に上述のように周囲壁部３３１が設けられている、すなわち、収納部材３３は、前方に開放（開口）した円形状の凹室を形成可能に円形状の周囲壁部３３１を有し、上述のように裏面構成部材２０に収納部材３３を取り付けることで、裏面構成部材２０の円形壁部２５と周囲壁部３３１とから画像表示ユニット３２を収納する収納空間が形成される。
【０１０２】
上述のように、収納部材３３の背面板３３３には、回動軸３１を挿通可能な中空ボス３３４が当該収納部材３３の裏面から後方に突出して設けられている。中空ボス３３４は、背面板３３３に一体に形成されるとともに画像表示ユニット３２の回動軸３１に対応して形成されるものである。
そして中空ボス３３４は、回動軸３１よりも大きな径の円筒状に形成され、かつ、裏面構成部材２０に取り付けられた収納部材３３内に画像表示ユニット３２を収納した状態で、中空ボス３３４の後端が回動軸３１の後端より僅かに前となるように形成される。
【０１０３】
また、中空ボス３３４は、収納部材３３の背面板３３３の後方に配置される演出制御装置６０より後方に延出しており、上述のように長い回動軸３１を、その前端部及び後端部を除いて収容可能となっている。また、中空ボス３３４は、背面板３３３と一体に形成されるが、見かけ上、背面板３３３を貫通した状態に形成され、中空ボス３３４の前端部は、背面板３３３の前面側に突出した状態となっている。
【０１０４】
また、中空ボス３３４の前端部及び後端部には、それぞれ軸受３４ａ，３４ｂ（プラスチック滑り軸受）が配置される。そして、中空ボス３３４内に配置される回動軸３１は、前後２つの軸受３４ａ，３４ｂに挿通された状態となり、２つの軸受３４ａ，３４ｂに互いに離れた２点で回動自在に支持された状態となる。従って、２つの軸受３４ａ，３４ｂを互いに離して配置することで、回転自在に支持される画像表示ユニット３２が重くても、画像表示ユニット３２を安定して回動自在に支持することができる。
【０１０５】
そして、この実施例では、中空ボス３３４の後端が収納部材３３の背面板３３３より後方に配置される演出制御装置６０よりも後方に位置するように中空ボス３３４が長くされ、かつ、前側の軸受３４ａが背面板３３３前面より前に配置される中空ボス３３４の前端部に配置され、後側の軸受３４ｂが中空ボス３３４の後端部に配置されることから、２つの軸受３４ａ，３４ｂ間の距離が極めて長くされている。これにより、画像表示ユニット３２を大型の画像表示器１２を有することにより大きな重量を有するものとしても、２つの軸受３４ａ，３４ｂにより安定して支持することができる。
【０１０６】
また、回動軸３１の前端部には、筒状の固定筒部３５ａが回りを囲んだ状態で固定されており、この固定筒部３５ａの後端面が前側の軸受３４ａの前端面に当接することにより回動軸３１の後側への移動が規制されている。
また、回動軸３１の後側の軸受３４ｂ（中空ボス３３４の後端部）より僅かに後側となる部分には、軸受３４ｂの内径より大きな外形を有する止め輪（Ｅリング）が固定されており、該止め輪が後側の軸受３４ｂに当接することにより回動軸３１の前側への移動が規制されている。これらのことから、回動軸３１は、中空ボス３３４において、回動自在に支持されるとともに、前後動を規制されている。
【０１０７】
そして、画像表示ユニット３２は、遊びの範囲内での前後動より大きな前後動が規制されることにより、画像表示ユニット３２が前後にがたつくのを防止し、例えば、画像表示ユニット３２（前方円盤部材本体３７１）の前面が前面カバー２４２に当接することがないようになっている。なお、画像表示ユニット３２は、基本的に２つの軸受３４ａ，３４ｂにより安定して回動自在に支持されているので、必ずしも、前記ローラ２５２により前方円盤部材３７の外周を支持する必要はないが、後述するようにローラ２５２がないと画像表示ユニット３２が片支持の状態となるので、画像表示ユニット３２の円滑な回転と、軸受３４ａ、３４ｂの耐久性等を考慮した場合に、前記ローラ２５２により画像表示ユニット３２の前部を支持して、画像表示ユニットを両支持の状態で回動可能とすることが好ましい。
【０１０８】
これにより、画像表示ユニット３２をより安定させて回転できるとともに、軸受３４ａ，３４ｂへの負荷を減少させて耐久性を向上することができる。
なお、回動軸３１は、画像表示器１２を備える後方円盤部材３５の後方側に延出しており、画像表示ユニット３２の重心は、回動軸３１の軸受３４ａ，３４ｂに支持された部分より前となり、回動軸３１を回動自在に軸受３４ａ，３４ｂで支持するだけでは片支持となる。
【０１０９】
背面板３３３の裏面には、第２〜第４中継基板３３ｂ，３３ｃ，３３ｄが上下に並んで固定されるようになっている。そして、背面板３３３の裏面には、これら第２〜第４中継基板３３ｂ，３３ｃ，３３ｄのそれぞれの取付部として第２〜第４中継基板取付部３３ｆ，３３ｇ，３３ｈが設けられている。なお、第２中継基板３３ｂ、第２中継基板取付部３３ｆ及び後述の導線保護部材３３ｉは、図２に図示されている。
第２〜第４中継基板３３ｂ，３３ｃ，３３ｄは、画像表示ユニット３２の後方円盤部材３５に設けられたＬＥＤ基板３５２，３５３の導線及び画像表示器１２の第１中継基板４２に中継された導線と、収納部材３３に設けられた第１及び第２位置検出装置４６１，４６２の導線と、裏面構成部材２０に設けられた上述の左右のＬＥＤ基板の導線と、画像表示装置１０の外部に設けられたサイドランプ９，９等の導線とが接続されて、これら導線は、第２〜第４中継基板３３ｂ，３３ｃ，３３ｄに中継され、演出制御装置６０に接続される。
【０１１０】
第２中継基板取付部３３ｆは、収納部材３３の本体とは別体に成型されたもので、後方を開放した平たい箱状に形成され、収納部材３３にネジ止めされて取り付けられている。
また、第２中継基板取付部３３ｆには、画像表示ユニット３２の後方円盤部材３５に設けられたＬＥＤ基板３５２，３５３の導線及び画像表示器１２の第１中継基板４２に中継された導線が、後述の導線導出口３３ａを通って収納部材３３の内側から外側に引き出され第２及び第３中継基板３３ｃ，３３ｄに接続される部分を後方側から覆う導線保護部材３３ｉが設けられている。
【０１１１】
導線保護部材３３ｉは、第２中継基板取付部３３ｆの下側で隣接する導線導出口３３ａ及び第３中継基板取付部３３ｇの間を架け渡すように、導線導出口３３ａ及び第３中継基板取付部３３ｇの後方に配置される。また、導線保護部材３３ｉは、第２中継基板取付部３３ｆの下側側面の後方から見て左端部に接続される接続部を有する上側板と、上側板に対向する下側板と、上側板の後端と下側板の後端間に架け渡される背板と、背板の後方から見て右側に配置される右側板とを有し、前記導線の配置部分の上下と後と右とを覆うようになっている。また、導線保護部材３３ｉは、導線導出口３３ａの後側となる後方から見て左側より、第３中継基板取付部３３ｇの後方側となる後方から見て右側の方が上下幅が広くされている。
【０１１２】
この導線保護部材３３ｉにより、画像表示ユニット３２の回転移動により動く導線が、周囲に広がるのを防止することで、導線が周囲の部材に絡むのを防止することができる。なお、導線保護部材３３ｉは、背面板３３３及び周囲壁部３３１を有する収納部材３３の本体の裏面側で背面板３３３側に向かって開放された略箱状に形成されることから、収納部材３３の本体と一体に成型することが困難である。しかし、第２中継基板取付部３３ｆと一体に成型して、第２中継基板取付部３３ｆと一体に取り付けることで、導線保護部材３３ｉを収納部材３３の本体に対して別体としても、容易に収納部材３３に取り付けることができる。
第３中継基板取付部３３ｇは、背面板３３３の裏面の右側で、上下の略中央に形成され、背面板３３３から後方に突出して第３中継基板３３ｄの周囲を囲むリブを有するものであるが、リブの一部は背面板３３３より右側に突出した位置まで形成されて壁状となっている。
【０１１３】
第４中継基板取付部３３ｈは、背面板３３３の裏面の右側で第３中継基板取付部３３ｇの下側に隣接して配置されている。また、第４中継基板取付部３３ｈは、円形の背面板３３３の右下部分を前方に凹ませて形成されており、第４中継基板取付部３３ｈの第４中継基板３３ｄの周囲を囲む壁のうちの上の壁と後方から見て左の壁とは、背面板３３３の凹んだ部分とその外側との段差部分により形成されている。また、第４中継基板取付部３３ｈは、背面板の下側及び右側に突出して形成されており、突出した部分には、第４中継基板３３ｄの後方から見て右と下とを囲む壁が形成されている。
【０１１４】
また、背面板３３３には、その中央部分でかつ中空ボス３３４の周囲となる部分に背面板３３３の中心を中心とする円の１／４より僅かに大きな円弧状の半径方向に幅を有する扇状の前記導線導出口３３ａが形成されている。導線導出口３３ａは、上述のように後方円盤部材３５の第１中継基板４２から後方に引き出される液晶表示パネル用の導線とバックライト用導線とを収納部材３３の収納空間から収納部材３３の裏面側に引き出すための開口部である。そして、導線導出口３３ａから収納空間の外側に引き出された導線は、上述のように導線導出口３３ａの後方から見て右側に隣設する第２中継基板３３ｂ、第３中継基板３３ｃに接続されるようになっている。
【０１１５】
また、導線導出口３３ａの外周縁となるとともに、隣設する第２中継基板取付部３３ｇ、第３中継基板取付部３３ｇの境界部分には、背面板３３３の前後方向にそれぞれ突出するように円弧板状の導線ガイド壁３３ｅが形成されている。従って、導線導出口３３ａを通りかつ、画像表示ユニット３２の回転に伴って移動する導線は、導線ガイド壁３３ｅに沿って移動することになり、導線の絡み等が防止される。なお、導線導出口３３ａは、画像表示ユニット３２の回転中心に対応してその近傍となる背面板３３３の中央部に設けられているので、画像表示ユニット３２が回転移動しても導線の移動量をほぼ最低限度のものとすることができる。さらに、移動する導線は、上述の導線保護部材３３ｉによっても保護されており、導線ガイド壁３３ｅ及び導線保護部材３３ｉにより、導線の絡み等による断線を確実に防止することができる。
【０１１６】
また、背面板３３３の裏面には、後方から見て左側を裏面構成部材２０の演出制御取付部２７に取り付けられた演出制御装置６０の右側を固定するための演出制御取付部となる上下のボス３３ｋ，が設けられている。なお、ボス３３ｋには、補強と演出制御装置６０の裏面支持のためのリブ３３ｍが接続されている。
また、図１０及び図１１に示すように、背面板３３３の前面側には、後述する第１及び第２位置検出装置４６１，４６２に対応して位置検出取付部３３ｎが設けられている。位置検出取付部３３ｎは、背面板３３３の中心を中心として略９０度弱の範囲の扇状の形状の外周に沿って後方に突出するリブにより形成されている。そして、扇状の位置検出取付部３３ｎの一方の端部（原点位置側：復路の末端側）に第１位置検出装置４６１が取り付けられ、他方の端部（回転位置側：往路の末端側）に第２位置検出装置４６２が配置されている。なお、図１１に示すように第１及び第２位置検出装置４６１，４６２（図１０に図示）が取り付けられる部分には、ネジ止め用のボス３３ｔが設けられるとともに、扇状の位置検出取付部３３ｎ内に背面板３３３の半径方向に沿って位置決め用のリブ３３ｓが左右に配置され、第１及び第２位置検出装置４６１，４６２は、それぞれ、位置決め用のリブ３３ｓより位置検出取付部３３ｎの端部側に配置されるようになっている。背面板３３３の位置検出取付部３３ｎの中央部には、第１及び第２位置検出装置４６１，４６２の導線用の挿通口３３ｊが設けられている。
【０１１７】
周囲壁部３３１は、背面板３３３と同径となる短い円筒状の後壁部３３ｏと、後壁部３３ｏより大きな径の短い円筒状で、裏面構成部材２０の円形壁部２５と同径の前壁部３３ｐと、後側の後壁部３３ｏと前側の前壁部３３ｐとを前後に配置した際に、これら径の異なる後壁部３３ｏの前端部と前壁部３３ｐの後端部とを接続する円環状の段差板３３ｑとを有し、これらが一体に成型されている。
すなわち、周囲壁部３３１は、その後壁部３３ｏと前壁部３３ｐとで径が異なることから、周囲壁部３３１に段部３３７が形成されている。そして、上述の裏面構成部材のカバー取付部２４及び円形壁部２５と、周囲壁部３３１の前壁部３３ｐとを前後に接続して形成された内部空間が前方収納部３３５とされ、この前方収納部３３５に、画像表示ユニット３２の前後に接続された前方円盤部材３７と後方円盤部材３５とからなる本体が収納される。ここで画像表示ユニット３２の本体は、後方円盤部材本体３５１の裏面から前側で、裏面より後は含まれない。
【０１１８】
また、周囲壁部３３１前壁部３３ｐより径の小さい後壁部３３ｏ内の空間は、後方円盤部材３５の裏面に形成される突起部材４０及び遮光板４１と、これら突起部材４０及び遮光板４１に対応して、収納部材３３の背面板３３３の前面（収納部材３３の内面）に形成された回動規制部材４４１，４４２及び位置検出装置４６１，４６２とが配置される後方収納部３３６となっている。すなわち、突起部材４０及び遮光板４１と、回動規制部材４４１，４４２及び位置検出装置４６１，４６２とが後方円盤部材本体３５１の裏面と、背面板３３３の前面との間に配置されるために、これらの面が互いに離間する必要がり、後方円盤部材本体３５１が収納される前壁部３３ｐの後に後壁部３３ｏを設けて、後方円盤部材本体３５１の裏面と、背面板３３３の前面との間の空間を覆うようになっている。
【０１１９】
従って、前記周囲壁部３３１に段部３３７を形成することで、収納部材３３は、前記画像表示ユニット３２（本体）を収納する前方収納部３３５と、該前方収納部３３５の後方に前記回動規制部材４４１，４４２、前記検出手段（位置検出装置４６１，４６２）および該画像表示ユニット３２から外部に接続された導線を収納する後方収納部３３６とを備えている。
【０１２０】
また、前壁部３３ｐには、上述の駆動ギア３４１を周囲壁部３３１内の収納空間内に臨ませるための前記開口部３３２が形成されている。また、前壁部３３ｐの円形壁部２５のローラ取付部２５１，…の後方側に突出する部分に対応して切欠部３３ｒ，…が形成されている。また、前壁部３３ｐの前縁部には、６０度毎に外方側に突出する複数（例えば、６個）の取付片３３ｕ，…が設けられている。取付片３３ｕ，…は、裏面構成部材のネジ止めボス２５３，…の先端部と嵌合して、裏面構成部材２０に収納部材３３を位置決めするとともに、ネジによりネジ止めボス２５３，…に固定されるようになっている。
【０１２１】
前記回動規制部材４４１，４４２は、上述のように画像表示ユニット３２の裏面となる後方円盤部材本体３５１の裏面に突設された突起部材４０に対応して設けられ、前記画像表示ユニット３２の回動範囲を規制するためのものである。そして、回動規制部材４４１，４４２は、収納部材３３における画像表示ユニットの裏面と対向する内面となる前記背面板３３３の前面で、かつ、突起部材４０の回動軌跡上に一対設けられている。
【０１２２】
すなわち、突起部材４０は、後方円盤部材本体３５１の裏面で後方に突出して形成され、回動規制部材４４１，４４２は、後方円盤部材本体３５１の裏面に対応する背面板３３３の前面に前方に突出して設けられることにより、突起部材４０の前後位置と回動規制部材４４１，４４２の前後位置とが重なり、かつ、回動規制部材４４１，４４２が突起部材４０の回動軌跡上に設けられているので、画像表示ユニット３２を回転移動させると、突起部材４０が一対の回動規制部材４４１，４４２のいずれかに当接する構成となっている。
【０１２３】
図１５（Ａ）に示すように、突起部材４０は、画像表示ユニット３２を原点位置に配置した場合に、画像表示ユニット３２の真上方向を０度とすると４５度となる位置に配置される。また、図１５（Ｃ）に示すように、画像表示ユニット３２を原点位置から９０度時計回りに回転させた場合の回転位置に画像表示ユニット３２を配置した場合に、突起部材４０は、１３５度となる位置に配置される。これに対応して、第１回動規制部材４４１は、４５度となる突起部材４０に当接するように４５度より僅かに小さい角度となる位置に配置される。また、第２回動規制部材４４２は、１３５度となる突起部材４０に当接するように、１３５度より僅かに大きい角度となる位置に配置される。
【０１２４】
これにより、図１５（Ａ〜Ｃ）に示すように、突起部材４０は、４５度から１３５度の範囲で回動可能となり、４５度以下及び１３５度以上の回転が規制される。突起部材４０を有する画像表示ユニット３２は、原点位置から回転位置までの所定角度としての９０度の範囲で回転可能となる。この場合に画像表示ユニット３２の画像表示器１２の画像表示面１１は、左右に長い矩形状となる横の状態（原点位置）と上下に長い矩形状の縦の状態（回転位置）との間を回動自在となる。
【０１２５】
なお、遊技盤１の前面構成部材５１により形成された表示用窓部５２が占める面積は、画像表示ユニット３２の前面となる前方円盤部材本体３７１の前面の面積より小さくされている。従って、前方円盤部材本体３７１の前面の外周部は、表示用窓部５２から露出しないものとなっているとともに、表示用窓部５２が円形ではないことから、前方円盤部材本体３７１の前面の外周部より内側でも一部が表示用窓部５２から露出しないようになっている。
しかし、上述のように、横長と縦長の状態との間で変換可能な画像表示面１１は、横長の状態でも縦長の状態で、そのほとんどの部分が表示用窓部５２から露出するようになっている。
【０１２６】
また、上述のように突起部材４０は、磁石に吸着される金属部材４０ｂを有する一方、第１及び第２回動規制部材４４１，４４２には磁石４４ａ、４４ａ（図１２に図示）を設け、突起部材４０の金属部材４０ｂが第１及び第２回動規制部材４４１，４４２の磁石４４ａ，４４ａに吸着されることで、画像表示ユニット３２を所定角度（例えば、画像表示面１１が横長状態や縦長状態となる角度）で保持可能としている。すなわち、第１及び第２回動規制部材４４１，４４２のいずれかに当接した突起部材４０は、磁石４４ａ，４４ａに吸着されるので、モータ３４２からの動力が伝達されなければ、上述の原点位置もしくは回転位置に所定角度で固定された状態となる。また、突起部材４０が回転移動して第１及び第２回動規制部材４４１，４４２に当接した際に、突起部材４０が第１及び第２回動規制部材４４１，４４２に対して撥ねて離れてしまうのを防止することができる。
【０１２７】
すなわち、磁石４４ａ，４４ａへの金属部材４０ｂの吸着力に打ち勝つ力が作用しなければ、画像表示ユニット３２は回転しない。なお、磁石４４ａ，４４ａの磁力は、上述のように突起部材４０が撥ねるのを防止できるとともに、画像表示ユニット３２が原点位置及び回動位置で保持される以上の吸着力を必要とし、かつ、モータ３４２が作動した場合に、スムーズに突起部材４０が離れる吸着力である必要がある。
【０１２８】
また、図１１に示すように第１及び第２回動規制部材４４１，４４２は、収納部材３３の内面となる背面板３３３の前面から突設され、磁石４４ａ，４４ａを収納する磁石収納部４４ｂ，４４ｂを有する収納空間構成部４４ｃ,４４ｃと、収納空間構成部４４ｃ,４４ｃの磁石収納部４４ｂ，４４ｂの収納開口４４ｇ，４４ｇを閉鎖するとともに内部に収納された磁石４４ａ，４４ａを押さえる押さえ部材４４ｄ，４４ｄとを備え、収納空間構成部４４ｃ，４４ｃは、磁石収納部４４ｂ，４４ｂに磁石４４ａ，４４ａを収納した際に、磁石４４ａ，４４ａの所定面が突起部材４０の回動範囲方向に臨む当接開口部４４ｅ，４４eを形成し、該当接開口部４４ｅ，４４eの両側部には、外側から内側に傾斜したガイド部４４ｆ，４４ｆを形成している。
【０１２９】
以下に第１及び第２回動規制部材４４１，４４２の詳細を説明するが、第１回動規制部材４４１と第２回動規制部材４４２は、それらの配置位置と向きが異なるだけで同様の構成を有するので、第２回動規制部材４４２を例に取って説明する。ここで、図１１には、第２回動規制部材４４２の収納空間構成部４４ｃから押え部材４４ｄ及び磁石４４ａを取り外した状態を図示している。また、図１２には、押え部材４４ｄ及び磁石４４ａを図示している。
【０１３０】
図１１に示すように、収納空間構成部４４ｃは、半径方向に沿って配置された支持板４４ｈと、その支持板４４ｈの左右の両側縁部から半径方向と直交する方向に突出した左右の側板４４ｉ，４４ｉと、側板４４ｉ，４４ｉの支持板４４ｈの反対となる側縁部に形成されたガイド部４４ｆ、４４ｆとを有するものとなっている。
【０１３１】
また、ガイド部４４ｆ、４４ｆ間の間隔は、側板４４ｉ，４４ｉ間の間隔より短くなっている。そして、ガイド部４４ｆ，４４ｆの間が前記当接開口部４４ｅとなっている。また、支持板４４ｈと２つの側板４４ｉ，４４ｉとガイド部４４ｆ、４４ｆとで囲まれた空間が収納空間となり、収納空間構成部４４ｃの収納空間が形成される部分が磁石４４ａを収納する磁石収納部４４ｂとなる。
【０１３２】
なお、当接開口部４４ｅは、上述のように左右のガイド部４４ｆ，４４ｆ間の間隔が側板４４ｉ，４４ｉ間の間隔より狭くなっていることで、収納空間の左右幅に対して狭まった状態となって、内部に磁石４４ａを収納した際に、ガイド部４４ｆ、４４ｆは磁石４４ａが当接開口部４４ｅから出ないように押えた状態となる。また、ガイド部４４ｆ、４４ｆは、その前面側がテーパとされ、第２回動規制部材４４２の左右の中心に近くなるほど、前後の中心に近くなる斜面とされている。これにより、画像表示ユニット３２の回動軸３１と軸受３４ａ、３４ｂとのクリアランス等により、突起部材４０の回動軌跡にずれが生じても、突起部材４０をガイド部４４ｆ，４４ｆ前面側から当接開口部４４ｅ側に案内することができる。なお、収納空間構成部４４ｃの支持板４４ｈには、背面板３３３に直交する方向にそって一体にボスが形成され、該ボスに押え部材４４ｄをネジ止めするようになっている。
【０１３３】
また、収納空間構成部４４ｃの磁石収納部４４ｂには、磁石４４ａとともに、複数の金属製の保護部材４４ｊが収納されるようになっている。この保護部材４４ｊの少なくとも１つは、磁石４４ａより当接開口部４４ｅ側に配置される。従って、突起部材４０は第２回動規制部材４４２の当接開口部４４ｅにおいて、磁石４４ａに直接当接せずに、磁石４４ａの前に配置された保護部材４４ｊに当接するようになっている。なお、この例では、２つの保護部材４４ｊが用いられ、磁石４４ａを前後の保護部材４４ｊが挟み込むようになっているが、磁石４４ａの当接開口部４４ｅ側に二枚の保護部材４４ｊを配置しても良い。
【０１３４】
そして、保護部材４４ｊは、回動規制部材４４２に突起部材４０が接触する際の衝撃を吸収し、磁石４４ａを保護するとともに、磁石４４ａに突起部材４０が吸着された際に、磁石４４ａと突起部材４０との間に間隔を設けて磁石４４ａの突起部材４０への吸着力を調整するようになっている。この例においては、保護部材４４ｊに強磁性体の金属（例えば、鉄）が使用され、磁石４４ａと突起部材４０との間に保護部材４４ｊを配置することで、極端に吸着力が減少するのを防止している。なお、保護部材４４ｊを磁力線を調整するヨークとして機能させて吸着力を調整するものとしても良い。なお、保護部材４４ｊは、収納空間内におけるスペーサとしても機能しており、磁石収納部４４ｂ内で磁石ががたつくのを防止している。また、保護部材４４ｊとして、この例では、専用の部材を用いずに多数の形状（外径、内径、厚み等）の市販品が存在するワッシャから適切な形状のワッシャを選択して保護部材として用いることにより、コストを低減している。
【０１３５】
押え部材４４ｄは、収納空間構成部４４ｃの収納開口４４ｇを塞ぐ蓋板４４ｋと、蓋板４４ｋの左右からそれぞれ背面板３３３側に突出して間に収納空間構成部４４ｃの先端部を挟持する突出片４４ｍ、４４ｍと、支持板４４ｈのボス部分側となる後方に突出してボスと重なるとともに、ボスに螺合されるネジのネジ孔を有し、かつ、円筒状のボス部分の背面側を覆う円弧壁を有するネジ止め片４４ｎとを有する。
また、蓋板４４ｋの収納空間構成部４４ｃの磁石収納部４４ｂに臨む面には、円形の磁石４４ａ及び保護部材４４ｊを押えて位置合わせする押え部４４ｏが形成されている。
【０１３６】
また、前記保護部材４４ｊは、金属製の比較的固いものであり、磁石４４ａを保護するが、回動規制部材４４１，４４２に突起部材４０が衝突した際の衝撃をやわらげる緩衝機能は余り高くない。そこで、図１３に示すように、衝撃を受けた際に大きく変形して衝撃をやわらげ、その後元の形状に復帰する緩衝部材４４ｐを設けるものとしても良い。これにより、磁石４４ａを含む回動規制部材４４１，４４２に耐久性をさらに向上することができる。すなわち、回動規制部材４４１，４４２に、突起部材４０の衝突時の衝撃をやわらげる緩衝部材４４ｐを設けても良い。なお、緩衝部材４４ｐは、ゴム等の比較的柔らかな弾性部材を用いることができる。また、図１３において、緩衝部材４４ｐは、磁石４４ａの突起部材４０に接触する保護部材４４ｊの反対側となる裏面側に配置されている。
【０１３７】
なお、緩衝部材４４ｐを磁石４４ａの突起部材４０が接触する側となる正面側に配置しても良く、この際に緩衝部材４４ｐが磁石４４ａを保護するとともに、磁石４４ａの磁力を調整するものとしても良い。
また、緩衝部材４４ｐと保護部材４４ｊとを両方用いるものとしても良いし、どちらか一方だけ用いるものとしても良い。
【０１３８】
図１０に示すように第１及び第２位置検出装置４６１，４６２は、発光部４６ａと受光部４６ｂとが互いに間隔を開けて背面板３３３前面から前方に突設された基板４６ｃを有する。また、第１及び第２位置検出装置４６１，４６２の基板４６ｃが、位置検出取付部３３ｎにネジ止めされて取り付けられる。なお、発光部４６ａは、発光素子を有し、受光部４６ｂは受光素子を有する周知の光学センサとなっている。また、第１及び第２位置検出装置４６１，４６２は、演出制御装置６０に接続されている。
【０１３９】
また、背面板３３３に取り付けられた第１及び第２位置検出装置４６１，４６２において、発光部４６ａと受光部４６ｂとの間は、画像表示ユニット３２の裏面に形成された遮光板４１の画像表示ユニット３２を回転させた場合の回転軌跡上に配置され、遮光板４１が発光部４６ａと受光部４６ｂとの間を移動可能となっている。
【０１４０】
また、遮光板４１は、その遮光板本体４１ｂの画像表示ユニット３２の回転往復移動の往路側の先端側端部が、往路の回転方向において、突起部材４０より前となる位置に配置されている。また、第２位置検出装置４６２の発光部４６ａと受光部４６ｂとは、背面板３３３の半径方向に沿って並んでいるとともに、背面板３３３の中心と第２回動規制部材４４２とを結ぶ線分上に配置されている。
従って、画像表示ユニット３２が原点位置から回転位置に往路を移動した場合に、突起部材４０は第１回動規制部材４４１に接触した原点位置から９０度離れた第２回動規制部材４４２に接触する回転位置に移動することになる。
【０１４１】
この際に遮光板４１の遮光板本体４１ｂの往路の先頭側端部が、突起部材４０より往路の回転方向の前にあるので、突起部材４０が第２回動規制部材４４２に接触する前に、第２位置検出装置４６２の発光部４６ａと受光部４６ｂとの間を遮光板本体４１ｂの往路の先頭側端部が遮光する。すなわち、画像表示ユニット３２が所定角度を回転して、突起部材４０が第２回動規制部材４４２に接触するより僅かに前に、第２位置検出装置４６２が遮光板４１を検知する。
【０１４２】
また、遮光板４１は、その遮光板本体４１ｂの画像表示ユニット３２の回転往復移動の復路側の先端側端部が、復路の回転方向において、突起部材４０とほぼ同じ位置に配置されている。また、第１位置検出装置４６１の発光部４６ａと受光部４６ｂとは、背面板３３３の半径方向に沿って並んでいるとともに、背面板３３３の中心と第２回動規制部材４４２とを結ぶ線分より復路の回転移動の手前側に配置されている。
従って、画像表示ユニット３２が回転位置から原点位置に復路を移動した場合に、突起部材４０は第２回動規制部材４４１に接触した回転位置から９０度離れた第１回動規制部材４４２に接触する原点位置に移動することになる。
【０１４３】
この際に遮光板４１の遮光板本体４１ｂの復路の先頭側端部が、画像表示ユニット３２の回転角度位置において突起部材４０と同じ位置にあるが、第２位置検出装置４６１が第１回動規制部材４４１より手前にあるので、突起部材４０が第１回動規制部材４４１に接触する前に、第１位置検出装置４６１の発光部４６ａと受光部４６ｂとの間を遮光板本体４１ｂの復路の先頭側端部が遮光する。すなわち、画像表示ユニット３２が所定角度を回転して、突起部材４０が第１回動規制部材４４１に接触するより僅かに前に、第１位置検出装置４６１が遮光板４１を検知する。
【０１４４】
すなわち、第１及び第２位置検出装置４６１．４６２は、突起部材４０が第１及び第２回動規制部材４４１，４４２に接触する直前の画像表示ユニット３２の回転位置を検出するので、第１及び第２位置検出装置４６１，４６２は、回転を停止する直前の画像表示ユニット３２の回動位置（回転停止前のモータ３４２の回転軸（駆動ギア３４１）の回動角度）を検出することになる。これにより、後述するように画像表示ユニット３２が回動停止する直前となったのを検知した際に、画像表示ユニット３２（モータ３４２）の回転速度を低下させ、突起部材４０が第１及び第２回動規制部材４４１，４４２に接触する際の速度を低下させることができる。
【０１４５】
すなわち、第１及び第２位置検出装置４６１，４６２（検出手段）は、突起部材４０が第１及び第２回動規制部材４４１，４４２に当接するよりも前の位置で画像表示ユニット３２の回動位置を検出するように設定し、第１及び第２位置検出装置４６１，４６２の検出出力に基づいて、モータ３４２（電気的駆動源）により画像表示ユニット３２の回動速度を低速に変換する。
【０１４６】
また、図１４に示すように、パチンコ遊技機は、その制御系として遊技の進行を制御する遊技制御装置７０（メイン制御装置）、この遊技制御装置７０の制御下で各種の演出に関する制御を行う演出制御装置６０（サブ制御装置）としての音・ランプ制御装置８０及び表示制御装置９０とを備えている。
【０１４７】
このうち遊技制御装置７０は、ＣＰＵ７１ａ、ＲＡＭ７１ｂ、ＲＯＭ７１ｃ等を有する遊技用マイクロコンピュータ７１、入出力Ｉ／Ｆ７３、クロック（発振器：ＣＬＫ）７２等により構成されている。
このうち、ＣＰＵ７１ａは、制御部、演算部を備え、演算制御を行う他、特図や普図の変動表示ゲームに関連する各種乱数値なども生成している。各種乱数値には、特図変動表示ゲームの大当り判定用乱数値、普図変動表示ゲームの当り判定用乱数値、特図変動表示ゲームの停止図柄の決定に用いられる図柄決定用乱数値、特図変動表示ゲームにおける基本変動パターン（各種リーチやリーチ無しの変動表示における変動表示ゲームの実行時間等を含む）の種類の決定に用いられる基本変動パターン決定用乱数値などが含まれる。
ＲＡＭ７１ｂは、変動入賞装置６の始動入賞口に対応して設けられた特図始動入賞口センサ６ａのオン信号の記憶、すなわち特図始動記憶（始動記憶、変動表示ゲームの実行権利）の記憶領域、普図始動ゲート８，８に設けられた普図始動ゲートセンサ８ａのオン信号の記憶（普図始動記憶）の記憶領域、前記各種乱数値の記憶領域、並びに、ＣＰＵ７１ａの作業領域等を備えている。
ＲＯＭ７１ｃには、遊技上の制御プログラムや制御データが書き込まれている他、特図変動表示ゲームの大当り発生を判定するための特図変動表示ゲームの大当り判定値を有する乱数判定テーブル、普図変動表示ゲームの当り発生を判定するための普図の当り判定値を有する普図判定テーブルなどが書き込まれている。
【０１４８】
また、入出力Ｉ／Ｆ７３には、図示しないローパスフィルタ及びバッファーゲートを介して、特図始動入賞口センサ６ａ、普図始動ゲートセンサ８ａ、大入賞口センサ７ｂ、一般入賞口センサ３ａ，３ａ、これらからの各種信号が入力されている。そして、これら各種信号は、該入出力Ｉ／Ｆ７３により中継されて、ＣＰＵ７１ａに対し出力されている。
【０１４９】
なお、特図始動入賞口センサ６ａは、変動入賞装置６に入賞した遊技球を検出するものである。また、普図始動ゲートセンサ８ａは、普図変動表示ゲームの始動口となる普図始動ゲート８を通過する遊技球を検出するものである。また、大入賞口センサ７ｂは、特図変動表示ゲームが大当りとなって特別遊技状態となった場合に開放される特別変動入賞装置７に入賞した遊技球を検出するものである。また、一般入賞口センサ３ａ，３ａは、一般入賞口３，３に入賞した遊技球を検出するものである。
【０１５０】
さらに、入出力Ｉ／Ｆ７３には、ＣＰＵ７１ａから出力される各種の制御信号が入力され、これら制御信号は、該入出力Ｉ／Ｆ７３により中継されて、図示しない出力ポート及びドライバーを介して、普通電動役物の開閉部材の駆動手段としての普電用ソレノイド６ｃ、遊技店の管理装置等に情報を出力する外部情報端子１７、演出制御装置６０の音・ランプ制御装置８０、特別変動入賞装置７を開閉する可動部材の駆動手段としての可動部材用ソレノイド７ｃなどに出力されている。
【０１５１】
遊技制御装置７０のＣＰＵ７１ａは、例えば、特図始動入賞口センサ６ａからの検出信号（始動信号）の入力等に基づき、ＲＡＭ７１ｂに記憶されている各種乱数値の抽出処理を行い、該抽出処理により抽出された乱数値と、予めＲＯＭ７１ｃに記憶されている判定値（判定テーブル）とを比較する。
この比較により、遊技制御装置７０のＣＰＵ７１ａは、特図変動表示ゲームを大当りとして特別遊技状態を発生するか否か（大当りに当選か否か）、等を決定する。なお、特図変動表示ゲームの大当り決定用に抽出された乱数値が、特図変動表示ゲーム用に記憶されている大当り判定値と一致する場合に、特図変動表示ゲームが大当りとされる。そして、特図変動表示ゲームが大当りとされた際には、特図変動表示ゲーム終了後、後述のサイクル遊技として、可動部材用ソレノイド７ｃを作動させて特別変動入賞装置７を開放状態とする。
【０１５２】
また、遊技制御装置７０のＣＰＵ７１ａは、特図始動入賞口センサ６ａから始動信号が入力し、各種乱数値の抽出を行った場合に、ＲＡＭ７１ｂに、記憶されるカウンタ値としての特図始動記憶数を１つ加算するとともに、抽出された特図変動表示ゲーム用の乱数値を特図始動記憶に対応付けて記憶する。なお、直ちに次の特図変動表示ゲームを開始することができない状態（例えば、特図変動表示ゲームの実行中、或いは、特別遊技状態中等）であれば、特図始動記憶数が保持され、特図変動表示ゲームが開始される際に、特図始動記憶数を１つ減算する。
なお、例えば、特図始動記憶に空きがない場合、すなわち、特図始動記憶数が予め設定された上限となっている場合には、各種乱数値の抽出を行わない。
【０１５３】
また、遊技制御装置７０のＣＰＵ７１ａは、上記抽出処理により抽出された乱数値と予めＲＯＭ７１ｃに記憶されている判定値との比較による各種の決定等に基づいて、音・ランプ制御装置８０に演出データ（制御情報を含む演出コマンド）を送る。音・ランプ制御装置８０は受信した演出データに基づいて（遊技制御装置７０の制御の下に）、変動表示ゲームの際にスピーカ１４から出力される効果音を制御したり、サイドランプ等の装飾用ランプ（ＬＥＤ）１１を制御する。また、後述するように、演出制御装置６０の音・ランプ制御装置８０は、モータ３４２の回転を制御し、上述の画像表示ユニット３２を回転させることにより、矩形状の画像表示面１１を回転させて、横長の状態と縦長の状態とを変換するようになっている。
【０１５４】
また、遊技制御装置７０から出力された演出データ（演出コマンド）は、音・ランプ制御装置８０を介して表示制御装置９０に出力され、変動表示装置５における変動表示ゲームの表示を制御する。なお、この例においては、画像表示面１１において、特図の変動表示ゲームが表示されるだけではなく、画像表示面１１の上端部や下端部や隅部等に、普図の変動表示領域、特図始動記憶表示領域、普図始動記憶表示領域が設定され、普図の変動表示領域で普図の変動表示ゲームの表示が行われ、特図始動記憶表示領域で特図の始動記憶数の表示が行われ、普図始動記憶表示領域で普図の始動記憶数の表示が行われ、これらの表示は、遊技制御装置７０から音・ランプ制御装置８０を介して入力される普図の変動表示ゲームの演出コマンド、特図の始動記憶数のデータ、普図の始動記憶数のデータに基づいて表示制御装置９０が制御する。なお、画像表示面１１上の普図の変動表示領域、特図始動記憶表示領域、普図始動記憶表示領域は、画像表示面１１の回転に伴って画像表示面１１の上下左右が変換された場合に変化し、各表示領域の上下左右が回転後の画像表示面１１の上下左右に対応するとともに、必要に応じて表示領域の位置も変化するように制御される。
【０１５５】
遊技制御装置７０のＣＰＵ７１ａは、例えば、普図始動ゲートセンサ８ａからの検出信号（始動信号）の入力等に基づき、ＲＡＭ７１ｂに記憶されている普図変動表示ゲームの乱数値の抽出処理を行い、該抽出処理により抽出された乱数値と、予めＲＯＭ７１ｃに記憶されている普図変動表示ゲームの判定値（判定テーブル）とを比較する。
この比較により、遊技制御装置７０のＣＰＵ７１ａは、普図変動表示ゲームを当りとして普通電動役物を作動させるか否かを決定する。なお、普図変動表示ゲームの当り決定用に抽出された乱数値が、普図変動表示ゲーム用に記憶されている当り判定値と一致する場合に、普図変動表示ゲームが当りとされる。
【０１５６】
そして、普図変動表示ゲームの上述の抽選結果に対応して画像表示面１１の普図の変動表示領域で普図変動表示ゲームが行われる。
そして、普図変動表示ゲームが当りとされた際には、普図変動表示ゲーム終了後、普電用ソレノイド６ｃを作動させて普通変動役物を所定時間開放して、普通電動役物が設けられた（普通）変動入賞装置６を遊技球が入賞しやすい状態とする。
【０１５７】
また、遊技制御装置７０のＣＰＵ７１ａは、普図始動ゲートセンサ８ａから始動信号が入力し、乱数値の抽出を行った場合に、ＲＡＭ７１ｂに、記憶されるカウンタ値としての普図始動記憶数を１つ加算するとともに、抽出された普図変動表示ゲーム用の乱数値を普図始動記憶に対応付けて記憶する。なお、直ちに次の普図変動表示ゲームを開始することができない状態（例えば、普図変動表示ゲームの実行中）であれば、普図始動記憶数が保持され、普図変動表示ゲームが開始される際には、普図始動記憶数を１つ減算する。
なお、例えば、普図始動記憶に空きがない場合、すなわち、普図始動記憶数が予め設定された上限となっている場合には、普図変動表示ゲームの乱数値の抽出を行わない。
【０１５８】
さらに、遊技制御装置７０のＣＰＵ７１ａは、一般入賞口センサ３ａ，３ａ、特図始動入賞口センサ６ａ、大入賞口センサ７ｂから入賞球の検出信号が入力された場合に、それら検出信号に基づいて、排出・発射制御装置に賞球データを送って所要数の賞球を排出させる制御も行う。また、遊技制御装置７０の制御下で、排出・発射制御装置により遊技者の発射ハンドルの操作に基づいて発射制御装置を介して遊技球の発射を制御する。
【０１５９】
演出制御装置（サブ制御手段）６０は、上述のように音・ランプ制御装置８０と表示制御装置９０とを有し、音・ランプ制御装置８０が、遊技制御装置（メイン制御手段）７０からの演出コマンド等に基づいて、スピーカ１４、装飾ランプ・ＬＥＤ１５（遊技盤１のサイドランプ９等）、装飾ランプ・ＬＥＤ１６（変動表示装置５の画像表示ユニット３２のＬＥＤ基板３５２，３５３等）、モータ３４２の制御を行い、表示制御装置９０が遊技制御装置（メイン制御手段）７０からの演出コマンド等に基づいて、画像表示器１２（液晶表示器）の表示制御を行う。
【０１６０】
音・ランプ制御装置８０は、制御装置としてＣＰＵ、ＲＯＭ、ＲＡＭ等を有するとともに、スピーカ１４への出力される音信号を出力するアンプ、音生成ＬＳＩ及び音信号を記憶したＲＯＭ等を有し、さらにモータ３４２（回転体用モータ）を駆動するための駆動回路や、ＬＥＤを点灯させる電力のＯＮ・ＯＦＦを行う出力インタフェース等を有する。そして、スピーカからの音の出力の制御や、各種装飾用のＬＥＤ基板に搭載されたＬＥＤの点灯・消灯の制御を行うとともに、モータ３４２の回転による画像表示ユニット３２の回転の制御を行う。
【０１６１】
なお、モータ３４２は、正回転及び逆回転が可能なステッピングモータであり、駆動回路から出力されるパルス数により回転角度が制御され、原点位置から回転位置への画像表示ユニット３２の９０度の回転に対応するモータ３４２の回転軸の回転角度が制御されるとともにパルス間隔により回転速度が制御される。また、音・ランプ制御装置８０には、第１及び第２位置検出装置４６１，４６２（モータ位置検出センサ（１），（２））が接続され、上述のように、画像表示ユニット３２（モータ３４２）の回転角度が停止直前の回転角度となった際に、受光部４６ｂが発光部４６ａの光を検出できなくなったことを示す信号が入力される。この際の音・ランプ制御装置８０は、画像表示ユニット３２の停止位置までの残りの回転角度に対応するモータ３４２の回転軸（駆動ギア３４１）の回転角度を回転させるためのパルスを出力する際に、パルスの出力間隔（時間間隔）段階的に長くするようになっている。これにより、画像表示ユニット３２（モータ３４２）の回転速度は、停止直前に段階的に遅くなり、その後、停止位置で停止するようにパルスの出力が停止される。
【０１６２】
なお、画像表示ユニット３２は、前方円盤部材３７、中間部材３６４、後方円盤部材３５、画像表示器１２、ＬＥＤ基板３５２，３５３等を有して比較的大きな質量を有するので、モータ３４２が停止しても画像表示ユニット３２は慣性により回転しようとするが、突起部材４０が第１及び第２回動規制部材４４１，４４２に接触することで、回転を停止することになる。この際に、画像表示ユニット３２の回転速度が速いと、第１及び第２回動規制部材４４１，４４２に磁石が設けられ、突起部材４０の金属部材４０ｂが磁石に吸着されるものとしても、第１及び第２回動規制部材４４１，４４２に突起部材４０が衝突した勢いで、突起部材４０がバウンドしてしまう可能性がある。
【０１６３】
突起部材４０がバウンドしないように、画像表示ユニット３２の回転速度を極めて低速に制限してしまうと、画像表示ユニット３２の回転による演出内容が極めて制限されてしまう。
また、バウンドを防止するために磁石４４ａの磁力を強くしすぎてしまうと、画像表示ユニット３２の回転開始時に、磁石４４ａから突起部材４０が円滑に離れずに、画像表示ユニット３２が円滑に回転できなくなってしまう。
【０１６４】
しかし、上述のように、回転停止前に画像表示ユニット３２の回転速度をその前の回転速度より遅くなるように制御することで、回転停止直前までは、ある程度、画像表示ユニット３２を速く回転させることが可能となり、画像表示ユニット３２の回転による演出内容が回転速度が極めて低速となることで制限されるのを防止するとともに、上述のような回転停止時のバウンドを防止できる。
【０１６５】
また、モータ３４２を停止制御する場合に、パルス数に基づく回転角度で制御するものとしても良いが、後述するように停止直前に位置検出装置４６１，４６２から信号が入力してから所定時間経過後にモータ３４２を停止させるものとしても良い。また、モータ３４２の回転制御を行った場合に、誤差等により、突起部材４０が回動規制部材４４１，４４２に接触する僅かに前に画像表示ユニット３２の回転が止まるようなことがあっても、突起部材４０と回動規制部材４４１，４４２との距離が極めて近ければ、突起部材４０が回動規制部材４４１，４４２の磁石４４ａに吸着されることで、突起部材４０が回動規制部材４４１，４４２に接触し、正確な停止位置で画像表示ユニット３２を停止させることができる。
【０１６６】
従って、上述のモータ３４２の制御において、画像表示ユニット３２の慣性による回転力を考慮し、画像表示ユニット３２が停止位置まで回転する前に、モータ３４２へのパルスの出力を停止するようにしても良く、この場合に、上述のように突起部材４０が回動規制部材４４１，４４２の直前で停止するようなことがあっても、上述のように磁力により正確な位置で停止させることができる。
【０１６７】
表示制御装置９０は、制御装置としてＣＰＵ、ＲＯＭ、ＲＡＭや、画像表示器１２となる液晶表示器（液晶ディスプレイ）における表示を制御するための図示しないＶＲＡＭ等の画像用メモリや、ＶＤＰ（video display processor）等のグラフィックプロセッサなどを含むビデオ回路を備えている。また、表示制御装置９０には、ＬＣＤである画像表示器１２のバックライトとなる冷陰極管用の電源となるインバータ回路が接続されている。
【０１６８】
そして、表示制御装置９０は、遊技制御装置７０から音・ランプ制御装置８０を介して入力される制御コマンドにより、遊技制御装置７０で決定された大当り、ハズレ、基本変動パターン等に基づいて、画像表示器１２において特図の変動表示ゲームを表示させる制御を行う。
また、表示制御装置９０は、上述のように遊技制御装置７０からの指令に基づき、画像表示器１２において、普図の変動表示ゲーム、普図の始動記憶数の表示、特図の始動記憶数の表示の制御を行う。従って、パチンコ遊技機は、画像表示器１２（液晶表示パネル）の表示制御を行うとともに、前記駆動装置３４のモータ３４２の作動制御を行う演出制御装置６０（音・ランプ制御装置８０及び表示制御装置９０）を備えている。
【０１６９】
以上のようなパチンコ遊技機においては、遊技制御装置７０及び排出・発射制御装置の制御により、遊技を開始することにより遊技領域１ａ内に打ち込まれた遊技球が、一般入賞口３、変動入賞装置６、特別変動入賞装置７の何れかに入賞すると、一般入賞口センサ３ａ、特図始動入賞口センサ６ａ、大入賞口センサ７ｂに入賞した遊技球が検出されたことに基づき、排出装置から、それぞれの入賞口に対応した所定数の賞球が排出される（払い出される）ようになっている。
また、遊技制御装置７０の制御により、遊技領域１ａ内に打ち込まれた遊技球が、普図始動ゲート８内を通過すると、普図始動ゲートセンサ８ａに遊技球が検出されたことに基づき、画像表示器１２の画像表示面１１の普通図柄表示領域において普図変動表示ゲームが行われ、かつ、普図始動記憶表示領域に普図始動記憶数を示す表示が行われる。
【０１７０】
この普図変動表示ゲームは、普通図柄表示領域において普通図柄（識別情報）を所定時間変動表示（例えば、円や三角等の異なるマークや異なる数字を順番に切り替えて表示）させた後、停止表示させることにより行うようになっている。
この普図変動表示ゲームの結果、普通図柄表示領域における停止表示が特別（当り）の結果態様となれば、普図変動表示ゲームが当りとなって、変動入賞装置６に設けられる普通電動役物の可動部材６ｂが所定時間（例えば、０.５秒間）開放される。それにより、例えば、変動入賞装置６の特図始動入賞口に遊技球が入賞しやすくなり、特図の変動表示ゲームの始動が容易となる。
【０１７１】
また、遊技領域１ａ内に打ち込まれた遊技球が、変動入賞装置６に入賞すると、特図始動入賞口センサ６ａに遊技球が検出されたことに基づき画像表示器１２の画像表示面１１において、複数種類の識別情報が変動表示される特図の変動表示ゲームが開始される。
この変動表示ゲームの結果として、画像表示面１１の表示態様が特別表示態様（例えば、「１，１，１」等、同じ図柄の組合せの何れか）となって特図の変動表示ゲームが特別結果となった場合には、大当りとなって特別遊技状態（所謂、大当り）となる。
この大当り中は、特別変動入賞装置７の入賞領域を開閉する可動部材７ａを閉じた状態から大入賞口に遊技球を入賞可能とする開放状態に変換するサイクル遊技が、所定回数を限度に行われ、これにより遊技者は遊技球を大量獲得する機会を得る。
【０１７２】
次ぎに、演出制御装置６０の音・ランプ制御装置８０による画像表示ユニット３２の回動の制御と、演出制御装置６０の表示制御装置９０による画像表示ユニット３２の回動と関連する表示制御について説明する。
図１５に示すように、収納部材３３の背面板３３３には、上述のように、第１及び第２回動規制部材４４１，４４２と、第１及び第２位置検出装置４６１，４６２が配置される。そして、画像表示ユニット３２の裏面には、上述のように突起部材４０と遮光板４１とが配置される。
【０１７３】
そして、図１５（Ａ）に示すように、画像表示ユニット３２が原点位置にある場合には、第１回動規制部材４４１に突起部材４０が当接した状態となる。この際には、第１回動規制部材４４１の磁石４４ａに突起部材４０の金属部材４０ｂが吸着された状態となっている。そして、原点位置における画像表示ユニット３２の矩形状の画像表示面１１は、横長に水平な状態となっている。
この状態では、図１７（Ａ）に示すように、例えば、画像表示面１１が左、中、右の３つの表示領域に分けられ、各表示領域毎に例えば、識別情報として、例えば、０〜９までの数字が上下に縦スクロールするように変動表示される。また、変動表示ゲームの変動表示が終了する際には、左、右、中の順で各表示領域の変動表示が停止され、識別情報となる数字が停止表示されていく。この際に、２つの表示領域（左、右）に同じ数字が停止表示され、残りの表示領域（中）で変動表示が行われている場合に、所謂リーチとなる。
【０１７４】
この状態で、変動表示ゲームが続行される場合に、遊技制御装置７０で選択された変動パターンが、画像表示ユニット３２の回転を伴うものの場合（所謂スペシャルリーチとなる変動表示パターンのうちの1つの場合）に、遊技制御装置７０からのコマンドに基づいて音・ランプ制御装置８０が、モータ３４２を制御して、予め設定された回転速度で画像表示ユニット３２を回転させる。この際にステッピングモータであるモータ３４２の速度は、入力されるパルスの間隔で制御され、この例では、図１６に示すように、例えば、８ｍｓ毎にモータ３４２に駆動用のパルスが入力される。
【０１７５】
一方、表示制御装置９０は、図１７（Ｂ，Ｃ）に示すように、画像表示面１１の回転に伴って変動表示の制御を行うようになっており、画像表示面１１が回転しているのにもかかわらず、識別情報の表示は、回転しない状態で、数字の上下は上下のままで、スクロール方向も上下のままとされる。なお、画像表示器１２における変動表示内容については、少なくとも変動表示時間を規定する基本的な変動パターンが遊技制御装置７０から音・ランプ制御装置８０に演出コマンドとして出力されるが、画像表示ユニット３２（画像表示器１２）の回転を伴う変動表示を行うか否かは、音・ランプ制御装置８０において、上述の基本的な変動パターンと確率的な抽選等により決定されるようになっている。そして、音・ランプ制御装置８０において、変動表示ゲームの開始に伴って画像表示ユニット３２の回転を行うことが決定されると、音・ランプ制御装置８０から表示制御装置９０に対して画像表示ユニット３２の回転を伴う変動表示を行うことを示す演出コマンドが出力される。
そして、音・ランプ制御装置８０が画像表示ユニット３２の回転（モータ３４２の作動）を制御するとともに、表示制御装置９０が音・ランプ制御装置８０からの演出コマンドに基づいて変動表示の制御（画像表示器１２の制御）を行う。そして、画像表示ユニット３２の回転と、変動表示における画像の回転表示との同期は、予め決められた変動開始後の時間や音・ランプ制御装置８０からの画像表示ユニットの回転を決定したことを示す演出コマンドの出力後の予め設定された時間に対応してそれぞれ画像表示ユニット３２が所定の回転速度で回転開始するとともに、画像の画像表示ユニット３２の回転に予め対応させられた回転表示が開始されることでとられる。
【０１７６】
なお、音・ランプ制御装置８０が、変動表示ゲーム中に、表示制御装置９０に変動表示における回転表示の開始及び停止を示す演出コマンドを出力し、表示制御装置９０は、音・ランプ制御装置８０からの回転表示の開始及び停止の演出コマンドに基づいて、画像表示器１２に対して通常の変動表示（例えば、横長画面用の変動表示）から回転する変動表示への切り替え及び回転する変動表示から通常の変動表示（例えば、縦長画面用の変動表示）への切り替えを制御しても良い。
【０１７７】
さらに、画像表示ユニット３２の変化する回転角度に対応して、画像の回転角度を微調整するような制御や、逆に画像の回転角度に対応して画像表示ユニット３２の回転角度を微調整するような制御を行っても良いが、そこまで行わなくても、上述のように、予め、画像の回転速度と画像表示ユニット３２の回転速度がほぼ一致するように設定し、音・ランプ制御装置８０からの演出コマンドの出力のタイミング等に基づいて同時に画像と画像表示ユニット３２が回転開始するようにすれば良い。また、９０度以外の回転角度でも同様に行うことができるとともに、複数の異なる回転角度で停止可能とする場合も、予め、複数の回転角度まで回転する変動表示パターン用に各種画像データを用意するとともに、画像表示ユニット３２を複数の回転角度に回転可能な構成としておき、音・ランプ制御装置８０から出力される演出コマンドで示される回転角度まで画像と画像表示ユニット３２を回転させるようにすることで制御可能である。従って、演出制御装置６０（音・ランプ制御装置８０及び表示制御装置９０）は、画像表示器１２（液晶表示パネル）の回動に対応して、表示画像の向きを変更する制御を行うようにしている。
【０１７８】
また、異なる複数の回転速度で画像と画像表示ユニット３２を回転させる場合も、予め、異なる回転速度の変動表示パターン用の画像データを用意するとともに、画像の複数の異なる回転速度と同等の回転速度で画像表示ユニットを回転させるためのモータ３４２に入力されるパルスの間隔を求めておき、遊技制御装置７０から入力される演出コマンドで示される回転速度で画像と画像表示ユニット３２を回転させるようにすることで制御可能である。
なお、画像表示ユニット３２が逆回転して元の状態に戻る場合も上述の場合と同様に、画像表示器１２に表示される画像が回転させられるとともに、例えば、縦長の画像表示面１１用の表示から横長の画像表示面用の表示に変換される。また、遊技制御装置７０から音・ランプ制御装置８０及び表示制御装置９０に対して回転開始及び回転停止を指示する演出コマンドを出力するような構成としても良い。
【０１７９】
画像表示ユニット３２を停止する場合に、音・ランプ制御装置８０は、図１６に示すように、原点位置から回転位置への往路側の回転移動において、第２位置検出装置４６２からの上述の遮光板４１の検出信号があり、逆の復路側の回転移動において、第１位置検出装置４６２からの上述の遮光板４１の検出信号があり、停止位置が近付いたことを検知した際に（図１６において、モータ位置検出センサがＯＦＦからＯＮ）、上述のパルスの出力間隔を大きくする処理を行う。この例では、位置検出装置４６１，４６２から信号が入力する前のモータ３４２へのパルスの出力間隔を８ｍｓ（ｍ秒）とした場合に、信号入力後は、所定時間（例えば、０．１ｓ）だけ、パルスの出力間隔を倍の１６ｍｓとする。これにより、モータ３４２（画像表示ユニット３２）の回転速度は、位置検出信号の入力前に対して１／２まで遅くなる。さらに、所定時間経過後、パルスの出力間隔を３２ｍｓとすることで、モータ３４２（画像表示ユニット３２）の回転速度は、位置検出信号の入力前に対して１／４まで遅くなる。さらに、検出信号入力後に、次ぎの所定時間（例えば、信号入力後０．２ｓ）経過した場合に、パルスの出力を停止し、モータ３４２を停止させるようになっている。
【０１８０】
なお、予め、画像表示ユニット３２の回転速度に対応して、パルスの出力間隔や、パルスを停止する所定時間等が設定されており、この例では、パルスの出力を停止した時点で、画像表示ユニット３２がほぼ停止位置となり、突起部材４０が第１及び第２回動規制部材４４１，４４２に接触するようになっている。
【０１８１】
また、往路側を回転移動中の画像表示ユニット３２が回転停止した場合には、横長の画像表示面１１が縦長の画像表示面１１となり、画像表示面１１の回転方向に対して逆に回転して表示されることにより、回転しないように表示されていた識別情報のうちの左右の識別情報が、画像表示面１１の左右幅が短くなったことで、そのままでは、画像表示面１１からはみ出すことになる。そこで、表示制御装置９０は、画像の回転を停止するとともに、図１７（Ｃ）に示すように、左中右の各表示領域の左右幅を狭くした状態として、左右の表示領域の識別情報を中央側に寄せる表示制御を行う。なお、表示制御装置９０は、上述の画像表示ユニット３２の回転停止前の回転速度の低下に対応して、画像の回転速度を低下させる処理を行うことが好ましい。
【０１８２】
さらに、この際に画像表示面１１の上下方向の長さが長くなることから、左右の表示領域において、停止表示される識別情報の上側に現在停止表示されている識別情報の変動前となる識別情報を表示し、停止表示される識別情報の下側に現在停止表示されている識別情報の変動後となる識別情報を表示する。この例においては、識別情報が数字となっているので、現在停止表示されている数字の１つ前の数字と、１つ後の数字が現在停止表示されている数字の上下に表示されることになる。
【０１８３】
また、この例では、左の表示領域においては、識別情報としての数字の値が順次大きくなるように数字順に変動表示されるのに対して、右の表示領域では、識別情報としての数字の値が順次小さくなるように数字の逆順に変動表示されるようになっている。
従って、左の表示領域と、右の表示領域とでは、数字の並びが上下逆になっている。
また、上述のように横長の画像表示面１１が９０度回転して縦長の画像表示面１１となることにより、左、中、右に表示されていた数字の左右の間隔は狭まることになるが、上下には広い幅が確保されるので、上下に大きさを変えることなく３つの数字を配置することができる。すなわち、横長の画像表示面１１を縦長となるように回転させることにより生じた画像表示面１１の縦横比の変化を利用して、興趣を高めるリーチの変動表示を行うことができる。
【０１８４】
そして、このような表示の変化により回転前は、中の表示領域で停止して大当たりとなる数字が一種類となる１ラインのシングルリーチだったのに対して、画像表示面１１の回転後のリーチは、大当たりとなる数字が３種類となる３ラインのトリプルリーチになる。この場合に、表示上の大当たりとなる確率は、３倍となるが、実質的にも、各リーチの変動パターン毎の大当たりとなる確率を示す信頼度が高いリーチに発展することになり、遊技者の期待感を高めることができる。
【０１８５】
すなわち、信頼度の高い変動パターンのスペシャルリーチにおいては、画像表示面１１を回転させることで、信頼度が高いことを遊技者に報知して遊技者の期待感を高めるとともに、スペシャルリーチの表示において、表示上においてシングルリーチよりも大当りとなる確率の高いトリプルリーチの表示を行うことで遊技者の期待感を高めることにより、画像表示面１１の回動による演出と表示演出との両方で遊技者の興趣を高めることができる。
なお、上記実施形態においては、画像表示面１１が横長状態となった場合を、常態位置として説明したが、上述のように画像表示面１１が縦長状態となった場合を常態位置としても良い。
【０１８６】
次ぎに、上記実施形態のパチンコ遊技機の変形例について説明する。なお、以下の変形例の説明において、説明されなかった部分は、上記実施形態のパチンコ遊技機と同様の構成を有するものである。
第１変形例は、図１８に示すように、画像表示ユニット３２は、矩形状の画像表示面１１の一方の長辺（一方の短辺）と、当該画像表示ユニット３２の外周との間に、互いの間に界面を生じる２種以上の液体ａ，ｂ，ｃが充填されるとともに前記液体ａ，ｂ，ｃを表示用窓部５２から視認可能とする充填体４７が設けられ、液体のうちの少なくとも一種の液体ａ，ｂ，ｃを、他の液体ａ，ｂ，ｃと識別可能に着色している。
【０１８７】
第１変形例の画像表示ユニット３２においては、図１８に示すように、前方円盤部材３７の画像表示器１２の画像表示面１１を臨ませる表示用開口部３８の周囲の周辺装飾部材３６とのなる部分の下側には、前記充填体４７を挿入するとともに、充填体４７を表示用窓部５２から前側に臨ませるための充填体開口部４７１が形成されている。充填体開口部４７１は、その上辺が画像表示面１１（表示用開口部３８）の長辺と平行で、ほぼ同じ左右長さの直線状となっているが、表示用開口部３８と充填体開口部４７１との間に境界となる部分が無く、表示用開口部３８と充填体開口部４７１とが連通した状態となっていても良い。また、充填体開口部４７１は、その下辺が前方円盤部材３７（画像表示ユニット３２）の回転中心を略中心とする円弧状とされており、充填体開口部４７１は、全体として、円を直径に平行な線分で１／３〜１／４程度に切断した形状を有する。
なお、図示しないが中間部材３６４にも、前方円盤部材３７の充填体開口部４７１に充填体４７を配置可能な開口部が形成されている。また、中間部材３６４に充填体４７を一体的に形成するものとしても良い。
【０１８８】
そして、充填体４７は、その正面から見た形状が上述の充填体開口部４７１とほぼ同形状とされるとともに、正面から奥側に液体を充填可能な厚みを有する全体として板状の透明容器となっている。そして、充填体４７は、その前面を前方円盤部材３７の前面とほぼ同じ前後位置に配置され、裏面が後方円盤部材３５の前面より前に配置されて、前方円盤部材３７に固定された状態となっている。なお、充填体４７を中間部材３６４に固定し、中間部材３６４を介して前方円盤部材３７に固定する構造としても良い。
【０１８９】
充填体４７には、少なくとも互いに混ざらない水系（親水性の液体もしくは水）の液体と、油系（疎水性の液体、いわゆる疎水性の有機溶媒）とが充填され、これら液体の間に界面ができるようになっている。なお、これら２つの液体は、比重が異なり、充填体４７内で上下に重なった状態となる。また、図１８に示すように、３つの液体を用いて三層にしても良い。なお、基本的に分子構造が大きく異なる液体同士は、互いに混ざらない可能性があり、上述の水系と油系の液体の組合わせ以外でも界面を形成することが可能であり、充填体４７内に三種以上の液体を充填して互いに混じり合わない液体を三層以上に配置するものとしても良い。
【０１９０】
また、この発明では、充填体４７が設けられる画像表示ユニット３２が高速で複数回転するようなことがなく、９０度程度を比較的低速で回転するので、充填体４７の液体が激しく撹拌されることはないので、例えば、水と、水より重たい有機溶媒（水に略不溶）と、水より軽い有機溶媒（水に略不溶）とを、比重の重い順に充填体４７に充填すれば、２種の遊技溶媒が互いに混ざり合う（溶解する）ものであっても、２つの溶媒の間に水が存在することで、水との間に界面を生じ、三層にすることができる。
【０１９１】
また、各液体は、それぞれ染料等の着色剤により着色する。なお、２つの液体を充填する場合には、どちらか一方の液体だけを着色するものとしても良し、３つの液体を充填する場合には、１つの液体もしくは２つの液体を着色するものとしても良い。また、複数の液体を着色する場合には、液体毎に異なる色に着色するか、もしくは、色の濃さを異ならせることが好ましい。なお、着色に際しては、異なる種類の液体間で色移りがしないようにする必要があり、例えば、水を着色する場合には、水に容易に溶解し、有機溶媒に難溶（不溶）の着色剤を用い、有機溶媒を着色する場合には、水に難溶（不溶）で、有機溶媒に容易に溶解する着色剤を使う。すなわち、水には水性の着色剤を用い、油には油性の着色剤を用いる。
【０１９２】
また、この実施形態では、充填体４７は、海を表す装飾部材として機能し、三層の液体のうちの下層の液体が濃いブルー（藍色）、中層の液体が薄いブルー（水色）、上層の液体が淡いブルー（薄い水色）に着色されている。なお、画像表示器１２の画像表示面１１に表示される背景やキャラクタとして、第一変形例では、海をイメージしたものが用いられるようになっており、図１８（Ａ）に示すように、横長状態の画像表示面１１の下に充填体４７が配置された状態では、画像表示面１１に海面上（波上）の背景（空、島等）及びキャラクタ（船、鳥等）が表示される。
【０１９３】
また、図１８（Ｂ）に示すように、縦長状態の画像表示面１１の側方（例えば、左側もしくは右側）に、充填体４７が配置された状態、すなわち、画像表示面１１と充填体４７が略同じ高さ位置に配置された場合には、画像表示面１１に海中（水中）の背景（例えば、気泡、海藻、珊瑚）及びキャラクタ（例えば、魚、イカ、タコ、アザラシ、イルカ等）が表示されるようになっている。
すなわち、表示制御装置９０は、画像表示ユニット３２の回転角度位置に基づく、充填体４７と画像表示面１１との位置関係によって、画像表示面１１に表示する画像（背景、キャラクタ）を決めるものとし、画像表示ユニット３２の回転に伴って、画像表示面１１に表示する前記画像を切り替えるようになっている。
【０１９４】
また、充填体４７の各液体間の界面は、画像表示ユニット３２が停止した状態では、水平のまま動かず、画像表示ユニット３２を回転することにより、液体が動いて界面が、例えば、波状等に変化して動くことになる。また、画像表示ユニット３２の回転が停止して時間が経過すると、界面は再び水平の状態で動かなくなってしまう。
そこで、画像表示ユニット３２を、例えば、画像表示面１１を横長状態と縦長状態とで変換するために回転させる場合以外において、９０度より小さい角度（例えば、１０度前後）で正転及び逆転させて（正転と逆転を複数回繰返しても良い）、液体を動かして界面に波を発生させるようにしても良い。
また、以上のような波を発生させるための画像表示ユニット３２の回転をいわゆるリーチ予告や大当たり予告の報知や、その他の報知に用いるものとしても良い。
【０１９５】
次ぎに、第２変形例について説明する。上記実施形態では、回動規制部材４４１，４４２の磁石４４ａの前後や後方に保護部材４４ｊを設け、さらに磁石４４ａの裏面側に緩衝部材４４ｐを設けても良いものとしたが、第２変形例では、図１９に示すように、一方の回動規制部材４４１に突起部材４０が吸着された場合に、画像表示ユニット３２が常態位置（画像表示面１１が横長状態もしくは縦長状態）になるものとし、収納部材３３の内面（背面板３３３の前面）には、突起部材４０が一方の回動規制部材４４１（磁石４４ａの前の保護部材４４ｊ、保護部材４４ｊが前に無い場合に磁石４４ａ）に接触する前に接触して衝撃を吸収する衝撃吸収装置４８が設けられている。
【０１９６】
図１９（Ａ）に示すように、第２変形例では、画像表示ユニット３２の常態位置を画像表示面が横長状態となるようにした場合に、画像表示ユニット３２が常態位置となると、突起部材４０が第１回動規制部材４４１に接触するようになっている。
また、図１９（Ｃ）に示すように、常態位置から画像表示ユニット３２が９０度右に回転すると、突起部材４０が第２回動規制部材４４２に接触する。第２回動規制部材４４１は、突起部材４０の回動軌跡上に磁石４４ａを保持できる形状ならば良く、例えば、上記実施形態の回動規制部材４４２と同様の構成としても良い。
【０１９７】
それに対して、第１回動規制部材４４１は、図１９（Ｂ）に拡大して示すように、磁石４４ａを有するとともに、磁石４４ａを収納する収納空間構成部４４ｃに一体的に衝撃吸収装置４８が設けられている。
すなわち、衝撃吸収装置４８が、第１回動規制部材４４１と一体的に設けられ、衝撃吸収装置４８は、収納空間構成部４４ｃと、突起部材４０に当接するとともに、収納空間構成部４４ｃに出没自在な当接部材４８１と、当接部材４８１と収納空間構成部４４ｃの背面部分との間に配置された衝撃を吸収する吸収手段としての弾性部材４８２とを備えている。
なお、第２変形例において、突起部材４０は、収納空間構成部４４ｃの前面側に左右に並んで配置される磁石４４ａと当接部材４８１との両方に当接可能となるように、円柱上ではなく、板状となっている。また、板状の突起部材４０の２つの側面は、それぞれ、画像表示ユニット３２（後方円盤部材３５）の半径方向に沿ったものとなっている。
【０１９８】
収納空間構成部４４ｃは、その前面が、画像表示ユニット３２の回転中心に対応する収納部材３３の円形の背面板３３３の中心から半径方向に沿った線分上に配置されるようになっている。そして、収納空間構成部４４ｃの前面の左右のうちの一方の側に磁石４４ａがその前面を露出して配置されている。また、収納空間構成部４４ｃの前面の左右のうちの他方の側に当接部材４８１が収納空間構成部４４ｃに出没自在に取り付けられている。なお、収納空間構成部材４８の前面（前面壁）の当接部材４８１が取り付けられる部分には、当接部材４８１が出没可能な挿通孔が形成されている。
【０１９９】
当接部材４８１は、有蓋筒状に形成されるとともに、底部が開口した状態で、底部の開口から内部に弾性部材４８２が挿入された状態となっている。また、当接部材４８１は、その底部の外周側に外周に沿って外方に突出するフランジ部（図示略）を有し、フランジ部が収納空間構成部４４ｃの前面壁の挿通孔の周囲に裏面側から係合することで、当接部材４８１が収納空間構成部４４ｃから外れるのを防止するストッパとして機能する。
弾性部材４８２は、例えば、バネであり、収納空間構成部４４ｃの背面を構成する部分と当接部材４８１の前面を構成する部分との間に配置される。
【０２００】
また、弾性部材４８２は、突起部材４０の金属部材４０ｂが回動規制部材４４１の磁石４４ａに吸着された状態で、弾性部材４８２の付勢力により、金属部材４０ｂが磁石４４ａから引きはがされない程度にバネ常数の小さなものであることが好ましい。また、衝撃を吸収する吸収手段としては、低反発ウレタンや衝撃吸収ジェル等を用いても良く、これらを用いることにより、金属部材４０ｂが磁石４４ａから引きはがされるのを防止することができる。
【０２０１】
以上のような第２変形例によれば、突起部材４０が回動規制部材４４１の突起部材４０の当接位置に当接する前に当接部材４８１に当接し、弾性部材４８２により勢いを減衰させれてから回動規制部材４４１の突起部材４０の当接位置に当接することになり、突起部材４０が回動規制部材４４１に当接してから衝撃を吸収するより効果的に衝撃を吸収することができる。従って、画像表示ユニット３２が、前記常態位置で安定するように重心位置（前記変換位置から前記常態位置に回動するように重心位置）を設定されることにより、画像表示ユニット３２が回転して常態位置に戻る際に、より大きな衝撃が突起部材４０と第１回動規制部材４４１にかかるような構成となっていても、円滑に画像表示ユニット３２を停止できる。
【０２０２】
また、停電等により、画像表示ユニット３２がほぼフリーで回動可能となって、常態位置に戻るような場合にも、突起部材４０が回動規制部材４４１に衝突する際の衝撃を吸収することができる。なお、第２変形例の衝撃吸収装置４８と、上記実施形態の保護部材３３ｊや、緩衝部材４４ｐを併用しても良い。
【０２０３】
次ぎに、第３変形例を説明する。図２０及び図２１に示すように、第３変形例も第２変形例と同様に衝撃吸収装置４９を有するものであるが、第３変形例の衝撃吸収装置４９は、突起部材４０に当接する当接部材４９１と、該当接部材４９１を突起部材４０に当接可能な当接位置と、当接不可能な待避位置との間で移動自在に支持する支持部材４９２と、当接部材４９１を当接位置と待避位置との間で移動させる緩衝動作手段となる電磁石４９ｅ及び移動用バネ４９ｆ（図２１に図示）と、当接部材４９１の衝撃を吸収する吸収手段となる弾性部材４９３とを備えている。
【０２０４】
すなわち、第２変形例では、当接部材４８１が電源が遮断されていない状態でも突起部材４０に当接して突起部材４０の勢いを減衰するようになっていたのに対して、第３変形例では、停電や故障等により電源が遮断された場合にだけ当接部材４９１が突起部材２０に当接する構成となっている。
また、第２変形例では、衝撃吸収装置４８と第１回動規制部材４４１とが一体となっていたが、第３変形例では、衝撃吸収装置４９と磁石４４ａを備えた第１回動規制部材４４１とが別体となっている。なお、それ以外の点においては、第２変形例の衝撃吸収装置４８と第３変形例の衝撃吸収装置４９とは、機能、構成においてほぼ同様のものとなっている。
【０２０５】
支持部材４９２は、収納部材３３の内面となる背面板３３３の前面に固定される支持部材本体４９ａと、支持部材本体４９ａ内で、前後に移動可能で、当接部材４９１が出没自在に取り付けられる移動体４９ｂとを有する。
支持部材本体４９ａは、四角箱状に形成され、その前面側が円形状の背面板３３３の半径方向に沿ったものとされるとともに、突起部材４０が第１回動規制部材４４１に当接した場合に、突起部材４０に対向した状態で近接（僅かに離間）するようになっている。
また、支持部材本体４９ａの前面には、当接部材４９１が出没する出没孔４９ｃが形成されている。
【０２０６】
前記移動体４９ｂは、支持部材本体４９ａ内に収納された状態で配置されとともに、四角箱状に配置され、その前面と背面を除く、四方の側面が、支持部材本体４９ａの前面側内面と背面側内面を除く四方の内面に案内されて前後に移動可能となっている。言い換えれば、支持部材本体４９ａは、有蓋有底の四角筒状に形成され、移動体４９ｂも有蓋有底の四角筒状に形成され、支持部材本体４９ａの内径が、移動体４９ｂの外径より僅かに大きくされ、支持部材本体４９ａの内周面に案内された状態で移動体４９ｂが支持部材本体４９ａ内に前後に移動自在に配置されている。
【０２０７】
なお、支持部材本体４９ａの前後長さに対して、移動体４９ｂの前後長さは、例えば、半分より僅かに長いものとなっている。また、移動体４９ｂの前面には、支持部材本体４９ａの前面の出没孔４９ｃと前後にほぼ完全に重なる位置に当接部材４９１が挿通する挿通孔４９ｄが形成されている。また、移動体４９ｂの背面部分を構成する底部４９ｇは、磁石に吸着される強磁性体として鉄で構成されている。
そして、第２変形例の当接部材４８１が収納空間構成部４４ｃに出没可能となっていたのと同様に、移動体４９ｂの挿通孔４９ｄには、当接部材４９１が出没可能に配置されている。また、当接部材４９１内部から移動体の背面側の内面の間には、吸収手段としての弾性部材４９３（例えば、コイルバネ）が配置され、当接部材４９１を前方に付勢している。
【０２０８】
そして、図２０に示すように、当接部材４９１が弾性部材４９３に付勢されて移動体４９ｂが突出した状態で、移動体４９ｂが支持部材本体４９ａに対して最も後に位置した状態では、突起部材４０が回動規制部材４４１に当接しても、突起部材４０が当接部材４９１に当接することがなく、移動体４９ｂが支持部材本体４９ａに対して最も後に位置した状態が当接部材４９１が待避位置にある状態となる。
【０２０９】
また、図２１（Ａ）に示すように、移動体４９ｂが支持部材本体４９ａに対して最も前に位置する状態では、突起部材４０が回動規制部材４４１に当接する前に当接部材４９１に当接し、図２１（Ｂ）に示すように、当接部材４９１を弾性部材４９３の付勢力に抗して支持部材４９２側に押し込むことで、突起部材４０の勢い（画像表示ユニット３２の回転の勢い）を減衰させ、突起部材４０が回動規制部材４４１に衝突する際の勢いを弱めるようになっている。従って、移動体４９ｂが支持部材本体４９ａに対して最も前に位置した状態が当接部材４９１が当接位置にある状態となる。
【０２１０】
そして、上述のように当接部材４９１を当接位置と待避位置との間で移動自在に支持する緩衝動作手段は、例えば、上述の電磁石４９ｅと移動用バネ４９ｆから構成される。前記移動用バネ４９ｆは、例えば、衝撃吸収装置４９の収納部材３３側に設けられており、支持部材本体４９ａ及び移動体４９ｂと前後に重なる位置に配置され、一方の端部が移動体４９ｂに接続され、他方の端部が支持部材本体４９ａに接続されている。そして、移動体４９ｂを当接位置側（先端側）に付勢している。
また、電磁石４９ｅは、支持部材本体４９ｂの底部の外部側に配置され、移動体４９ｂの鉄製の底部４９ｇを吸着するようになっている。そして、電磁石４９ｅは、音・ランプ制御装置８０の出力インタフェースから電力の供給を受けており、電磁石４９ｅに電力が供給された状態では、図２０に示すように移動用バネ４９ｆの付勢力に抗して移動体４９ｂの底部４９ｇを吸着して移動体４９ｂを最も後に移動させて当接部材４９１を待避位置に保持する。
一方、電磁石４９ｅへの電力の供給を遮断すると、移動用バネ４９ｆの付勢力により
移動体４９ｂを最も前に移動させて当接部材４９１を当接位置に保持する。
【０２１１】
従って、緩衝動作手段により、通常時は、当接部材４９１が待避位置に有り、停電等により電源が遮断されると、当接部材４９１が当接位置に移動し、停電復帰すると、当接部材４９１が再び待避位置に戻ることになる。
これにより、停電や故障等により電源が遮断された場合にだけ、衝撃吸収装置４９を作動させることができる。従って、通常時に突起部材４０に当接部材４９１が当接し、弾性部材４９３の付勢力により、突起部材４０が押し戻されて画像表示ユニット３２が常態位置より僅かにずれてしまうようなことがなく、電源遮断時だけ突起部材４０が回動規制部材４４１に衝突する衝撃を吸収することができる。
なお、停電時間が極めて短い場合には、突起部材４０が回動規制部材４４１に衝突する前に電源が復帰し、当接部材４９１が待避位置に戻った後に当接部材４９１に当接することなく突起部材４０が回動規制部材４４１に衝突する可能性があるので、例えば、音・ランプ制御装置８０において、停電復帰処理として、電磁石４９ｅへの電力の供給を直ぐに復帰させずに、停電復帰時から所定時間経過後に電磁石４９ｅへ電力を供給するような処理を行うものとしても良い。また、このような処理を行わない場合に、電磁石４９ｅへの電力の供給は、基本的には、常時ＯＮなので、必ずしも音・ランプ制御装置８０を介する必要はないが、音・ランプ制御装置８における停電復帰時の処理により、停電復帰から電磁石４９への電力供給までにタイムラグを生じさせることで、極めて短い停電時でも停電復帰後に当接部材４９１に当接することなく突起部材４０が回動規制部材４４１に衝突するのを防止できる。また、緩衝動作手段としては、上記構成以外に、電源遮断時に当接部材４９１を待避位置から当接位置に移動できるようなソレノイド等のアクチュエータを用いることができる。
【０２１２】
次ぎに第４変形例について説明する。第４変形例は、停電復帰時に表示制御装置９０が画像表示器１２の画像表示面１１に図２２に示すように停電復帰中であることを示す表示を行うように制御するものである。
パチンコ遊技機においては、停電時でもデータを記憶可能な不揮発性のメモリを備え、特図や普図の始動記憶数、大当たり中か否か、大当たり中のラウンド数等を記憶しており、これらデータを用いて停電復帰後に、停電前の遊技状態でのゲームを再開するための停電復帰処理が遊技制御装置７０等の制御装置において行われる。この際に表示制御装置９０においては、停電復帰（電力供給開始）後、現在停電復帰処理中であることを報知するための表示を画像表示器１２の画像表示面１１に表示するための処理を行う。例えば、表示制御装置９０は、ＲＯＭ等に予め画像データやフォントデータ等として記憶されていた停電復帰中等の文字列の表示を画像表示器１２に行わせる表示制御処理を行う。
【０２１３】
この際に、前記実施形態では、画像表示面１１が横長状態と縦長状態とに変換するように画像表示ユニット３２が回転可能となっているとともに、画像表示面１１が横長状態もしくは縦長状態の場合には、金属部材４０ｂを有する突起部材４０が回動規制部材４４１，４４２の磁石４４ａに吸着されることで、停電時に画像表示ユニット３２の回転がフリーもしくはフリーに近い状態となった場合でも、縦長状態や横長状態を維持している可能性が高い。
さらに、前記実施形態では、画像表示ユニット３２の重心がギア部材３９等により、常態位置（画像表示面１１が横長状態もしくは縦長状態となる位置で、前記実施形態では横長状態）で画像表示ユニット３２が安定するように設定されている。
【０２１４】
従って、この例では、縦長状態より横長状態を維持している可能性が高くなるとともに、停電発生時に、突起部材４０が回動規制部材４４１，４４２に吸着していなかった場合には、重心に基づいて画像表示ユニット３２は、画像表示面１１が横長状態となるように回転し、突起部材４０が第１回動規制部材４４１に衝突する。そして、画像表示面１１が横長状態で安定した状態となる。
ここで、上述の位置検出装置４６１，４６２は、突起部材４０が回動規制部材４１，４２に接触する位置よりも僅かに前の位置となった場合に、遮光板４１を検出するものとしたが、実際には、図１５等に示されるように、突起部材４０が回動規制部材４１，４２に当接した状態でも、回動規制部材４４１，４４２が遮光板４１を検出した状態となっている。
【０２１５】
従って、位置検出装置４６１、４６２は、画像表示面１１が横長状態、縦長状態となった場合の画像表示ユニット３２の角度位置を検出可能と言うことができる。
そこで、停電復帰時に、第１位置検出装置４６１が画像表示面１１が横長状態を検出している場合に、表示制御装置９０が、予め横長状態の画像表示面１１用に用意された横エラー表示を行い、第２位置検出装置４６２が画像表示面１１が縦長状態を検出している場合に、表示制御装置９０が、予め縦長状態の画像表示面１１用に用意された縦エラー表示を行うようにする。このようにすれば、縦長状態の画像表示面１１に横長状態の画像表示面１１用のエラー表示が行われたり、横長状態の画像表示面１１に縦長状態の画像表示面１１用のエラー表示が行われたりして、表示が９０度ずれた状態となるの防止することができる。
【０２１６】
さらに、停電復帰時に、第１位置検出装置４６１が横長状態の画像表示面１１となる画像表示ユニット３２の位置を検出せず、さらに第２位置検出装置４６２が縦長状態の画像表示面１１となる画像表示ユニット３２の位置を検出しない場合は、図２２に示すように、画像表示ユニット３２の重心が常態位置となる横長状態で安定となるので、電源復帰時に画像表示画面１１が斜めとなっていても直ぐに横長状態となり、表示制御装置９０が、予め横長状態の画像表示面１１用に用意された横エラー表示を行うようにする。このようにすることにより、図２２に示すように、一時的にエラー表示が斜めとなるが直ぐに正常な状態のエラー表示となる。
【０２１７】
すなわち、第４変形例においては、表示制御装置９０が、停電復帰後に、位置検出装置４６１，４６２の検出結果が画像表示面１１が縦長状態となっているのを検出した場合に縦長画面に対応した縦エラー表示を行うように画像表示器１２を制御し、位置検出装置４６１，４６２の検出結果が画像表示面１１が横長状態となっているのを検出した場合に横長画面に対応した横エラー表示を行うように画像表示器１２を制御し、位置検出装置４６１，４６２の検出結果が縦長状態でも横長状態でもない場合に、縦長状態と横長状態とのうちの常態位置となる状態に対応した横エラー表示と縦エラー表示とのうちの一方のエラー表示を行う。
【０２１８】
なお、基本的に停電発生時に、画像表示面１１が斜めの状態の場合には、画像表示ユニット３２がその重心位置に基づいて、常態位置に戻るように回転を開始し、停電復帰までにある程度時間がかかった場合には、画像表示ユニット３２が常態位置になっており、停電復帰時に画像表示面１１が斜めの状態となっている確率は必ずしも高くない。
また、位置検出装置４６２に縦長状態が検出されていても、回動規制部材４４２に突起部材４０が接触していない場合には、突起部材４０の金属部材が回動規制部材４４２の磁石４４ａに吸着されずに、画像表示ユニット３２がその重心位置に基づいて常態位置である横長状態となるように回転してしまう可能性がある。そこで、停電復帰後に位置検出装置４６２に縦長状態で検出されている場合には、その状態で縦エラー表示を行い、その後、位置検出装置４６２で縦長状態が検出されなくなった場合に横エラー表示を行うことが好ましい。
【０２１９】
なお、上述のような場合に、画像表示ユニット３２の重心位置に基づく回転が停電時に開始されるので、短い停電であっても、停電復帰時には、画像表示ユニット３２がその重心位置に基づいて位置検出装置４６２の検出範囲から遮光板４１が離れる程度回転している可能性が高く、停電復帰後に画像表示ユニット３２が縦長状態から横長状態に回転する可能性はかなり低いものとなる。
【０２２０】
以上のようなパチンコ遊技機は、遊技盤１に形成された表示用窓部５２から矩形状の画像表示面１１を前面側に臨ませるように画像表示装置１０を該遊技盤１の裏面側に配設した遊技機であり、画像表示装置１０は、遊技盤１の裏面側に取り付けられる裏面構成部材２０と、裏面構成部材２０に取り付けられるとともに、回動動作に応じて画像表示面１１の上下左右の関係を変更可能に構成される画像回動装置３０と、画像回動装置３０を回動させるための電気的駆動源（モータ３４２）とを備え、画像回動装置３０は、回動軸３１が設定され、画像表示面１１を有する画像表示器１２を備えた画像表示ユニット３２と、画像表示ユニット３２を回動可能に軸支するとともに、画像表示ユニット３２の裏面側所定部位を収納する収納部材３３とを備え、画像表示ユニット３２は、前面側に矩形状の画像表示面１１を臨ませた円盤形状に形成され、回動されている変換位置から前記画像表示面１１が横長状態もしくは縦長状態となる常態位置に回動するように重心位置を設定している。
【０２２１】
従って、画像表示ユニット３２を有する画像表示装置１０を遊技盤１の裏面側に備えたので、表示用窓部５２を形成する遊技盤１の前面側の役物とは関係なく、比較的大型の画像表示器１２を備えることが可能となり、興趣性を高められる大きな画像を表示可能である。すなわち、画像表示面１１を備えた画像表示器１２を有する画像表示ユニット３２を回転させるものとしても、回転する画像表示ユニット３２が遊技盤１の裏面にあるので、画像表示ユニット３２の回転範囲全体を囲むような大きな役物を遊技盤１前面に設ける必要はなく、回転する画像表示面１１の必要部分を露出可能な表示用窓部５２を囲む程度の大きさの役物を設ければ良い。
【０２２２】
言い換えれば、画像表示面１１およびその周辺を装飾する周辺装飾部材３６を有する画像表示ユニット３２の前面の面積は、表示用窓部５２の面積より大きく設定することができる。従って、表示される画像の興趣性を高めるために大きな画像表示面１１を有する大型の画像表示器１２を回転させるものとしても、画像表示器１２の回転範囲より大きな表示用窓部５２が必要となることはなく、表示用窓部５２の周囲に遊技球が流下する十分な面積の流下領域を確保することが可能となる。
【０２２３】
さらに、言い換えれば、表示用窓部５２の周囲に遊技球が流下する十分な面積の流下領域を確保するために、表示用窓部５２の大きさが制限されても、画像表示ユニット３２の回転範囲を表示用窓部５２より大きくすることが可能なことから、表示用窓部５２の大きさに規制されずに興趣の高い大型の画像表示ユニット３２を回転させる構成とすることができる。
【０２２４】
また、画像表示ユニット３２は、前面側に矩形状の画像表示面１１を臨ませた円盤形状に形成されているので、画像表示面１１を横長状態と縦長状態とに変換することが可能となっているとともに、表示用窓部５２から画像表示面１１が視認される際に、画像表示面１１の外側に円盤形状の画像表示ユニット３２の前面が視認されることになり、画像表示面１１が矩形状となっていても、画像表示面１１の外側で画像表示ユニット３２の奥側が遊技者に見えてしまうことがない。
【０２２５】
また、画像表示ユニット３２が円盤状となっていても、回動されている変換位置から前記画像表示面１１が横長状態もしくは縦長状態となる常態位置に回動するように重心位置を設定しているので、万が一に画像回動装置３０が故障したり、停電が発生したりすることにより、画像表示ユニット３２が回転停止しても、画像表示ユニット３２が回転可能な状態（略フリーな状態）となっていれば、画像表示ユニット３２は、その重心に基づく荷重により、画像表示面１１が横長状態もしくは縦長状態の常態位置に戻ることになる。従って、故障や停電に基づくエラー表示を行う場合に、予め常態位置となる横長状態もしくは縦長状態の画像表示面１１に対応した画像データ等を用意しておくことにより、横長画面に縦長画面用の表示が行われたり、縦長画面に横長画面用の表示が行われたりするのを防止することができる。また、通常の画像表示ユニット３２の回転においても、常態位置に戻るように回転する際に、より円滑に画像表示ユニット３２を回転させることができる。
【０２２６】
また、画像表示ユニット３２は、電気的駆動源（モータ３４２）に駆動される駆動ギア３４１と歯合（噛み合う）する円弧状の従動ギアを備えた金属製のギア部材３９を備え、
前記ギア部材３９は、矩形状の画像表示面１１の一方の長辺もしくは一方の短辺の中心を通る当該画像表示ユニット３２の半径方向に沿った線分と当該画像表示ユニット３２の周縁との交点から円周に沿って左右の所定範囲部分に設けられている。
【０２２７】
従って、矩形状の画像表示面１１の一方の長辺もしくは一方の短辺の中心を通る当該画像表示ユニット３２の半径方向に沿った線分と当該画像表示ユニット３２の周縁との交点から円周に沿って左右の所定範囲部分、すなわち、画像表示面１１の一方の長辺もしくは一方の短辺と対向する画像表示ユニット３２の外周部に合成樹脂等に比較して比重の大きな金属製のギア部材３９が設けられているので、前記変換位置から前記常態位置に回動するように重心位置が設定されることになる。
【０２２８】
それに加えて、ギア部材３９を金属製とすることで、樹脂製のギアに比較して耐摩耗性に優れ、長く使用しても、画像表示ユニット３２をスムーズに回転させることができる。
また、画像回動装置１０中において大きな半径を有する部材となる画像表示ユニット３２の周縁部に駆動ギア３４１と歯合するギア部材３９を備えたので、それほど大きな駆動力を必要としないで、比較的小さな駆動力でも大型の画像表示ユニット３２を回動させることが可能となる。
すなわち、画像表示ユニット３２は、画像表示器１２を備えており、画像表示器１２の回転範囲となる円とほぼ同じ大きさもしくはそれより僅かに大きな大きさに設定することが可能であり、この画像表示ユニット３２の周縁部に駆動ギア３４１と歯合する、例えば、複数の歯が円弧状に並設され従動ギアを設けることにより、極めて径の大きな従動ギアを画像表示ユニット３２と一体に回転可能に設けたことになり、駆動ギア３４１に対するギア比を極めて大きくすることができ、比較的小さな駆動力でも、大きくて重い画像表示ユニット３２を回転させることができる。
【０２２９】
また、第１変形例において、画像表示ユニット３２は、矩形状の画像表示面１１の一方の長辺もしくは一方の短辺と、当該画像表示ユニット３２の外周との間に、互いの間に界面を生じる２種以上の液体ａ，ｂ，ｃが充填されるとともに液体ａ，ｂ，ｃを表示用窓部５２から視認可能とする充填体４７が設けられ、液体ａ，ｂ，ｃのうちの少なくとも一種の液体ａ，ｂ，ｃを、他の液体ａ，ｂ，ｃと識別可能に着色している。
【０２３０】
従って、互いの間に界面を生じてほとんど混じり合うことのない２種以上の液体ａ，ｂ，ｃを充填した充填体４７が、画像表示面１１の一方の長辺もしくは一方の短辺と、当該画像表示ユニット３２の外周との間に設けられているので、充填体４７が錘として作用し、回動されている変換位置から前記画像表示面１１が横長状態もしくは縦長状態となる常態位置に回動するように重心位置を設定していることになる。
それに加えて、充填体４７は、互いにほとんど混ざり合わない２種の液体ａ，ｂ，ｃの界面が、画像表示ユニット３２の回転に伴い例えば波状に移動したりすることで、極めて興趣の高い装飾となり、特に、液体ａ，ｂ，ｃのうちの少なくとも一種の液体ａ，ｂ，ｃを、他の液体ａ，ｂ，ｃと識別可能に着色することでより装飾性を高めることができる。また、充填体４７の液体ａ，ｂ，ｃに光を前面や背面から照射して装飾性を高めても良い。
【０２３１】
また、画像表示ユニット３２の裏面側であって回動中心から外側に所定間隔設けた位置に、後方側に向けて突起部材４０を突設し、収納部材３３における画像表示ユニット３２の裏面と対向する内面に、画像表示ユニット３２の回動範囲を規制するための、突起部材４０に当接する一対の回動規制部材４４１，４４２を該突起部材４０の回動軌跡上に設け、突起部材４０は金属部材４０ｂを有する一方、回動規制部材４４１，４４２は磁石４４ａを設け、該突起部材４０の金属部材４０ｂが該回動規制部材４４１，４４２の磁石４４ａに吸着されることで、画像表示ユニット３２を所定角度で保持可能とし、一方の回動規制部材４４１に突起部材４０が吸着された場合に、画像表示ユニット３２が前記常態位置になるものとし、第２変形例に示すように、前記収納部材３３の内面には、前記画像表示ユニット３２が常態位置になる側の回動規制部材４４１に前記突起部材４０が接触する前に接触して衝撃を吸収する衝撃吸収装置４８が設けられている。
【０２３２】
従って、画像表示ユニット３２の裏面側であって回動中心から外側に所定間隔設けた位置に、後方側に向けて突起部材４０を突設し、収納部材３３における画像表示ユニット３２の裏面と対向する内面に、画像表示ユニット３２の回動範囲を規制するための、前記突起部材４０に当接する一対の回動規制部材４４１，４４２を該突起部材の回動軌跡上に設けたので、突起部材４０と回動規制部材４４１，４４２を画像表示器１２（画像表示ユニット３２）の回転中心より所定間隔離れた位置に配置できる。従って、回転軸に係合するストッパを設けた場合と異なり、回転中心から離れた突起部材４０と回動規制部材４４１，４４２により、比較的重量の大きい画像表示ユニット３２を何ら問題なく停止させることができる。特に画像表示ユニット３２裏面と収納部材２２の内面を利用して停止機構を効率よく構成できる。
【０２３３】
また、突起部材４０は、磁力で吸着される金属部材４０ｂを有し、回動規制部材４４１，４４２には、磁石４４ａが備えられているので、停止時に画像表示ユニット３２がバウンドしたりすることを防止でき、画像表示ユニット３２を所定角度で正確かつスムーズに停止させることができる。また、画像表示ユニット３２が停止している状態で、振動等により画像表示ユニット３２が適正な停止位置から移動するのを防止することができる。
【０２３４】
また、画像表示ユニット３２において、前記変換位置から前記常態位置に回動するように重心位置が設定されていることなどにより、画像表示ユニット３２の回転中心と重心とがずれ、かつ、重心が高い位置にある際に、故障や停電等により画像表示ユニット３２の回転がほぼフリーの状態となると、画像表示ユニット３２が荷重により勢いよく回転してしまう可能性があるが、この勢いを衝撃吸収装置４８が緩衝し、突起部材４０が回動規制部材４４１，４４２に激しく当るのを防止することができる。これにより回動規制部材４４１，４４２、突起部材４０の耐久性を高めるとともに、回動規制部材４４１，４４２に突起部材４０が衝突した勢いでバウンドしてしまうのを防止し、円滑に回転を停止することができる。
【０２３５】
また、上述の画像表示ユニット３２の重心の設定により、画像表示ユニット３２の回転中心と重心とが略同じ位置にある場合に比較して、一方の回動規制部材４４１に突起部材４０が当接する際の衝撃が大きくなり、他方の回動規制部材４４２に突起部材４０が当接する際の衝撃が小さくなる。従って、他方の回動規制部材４４２に突起部材４０が当接する際には、特に衝撃を吸収しなくても良いが、一方の回動規制部材４４２に突起部材４０が当接する際には、衝撃を吸収することが好ましく、特に、故障や停電等が発生しなくとも、通常の画像表示ユニットの回転においても、衝撃吸収装置４８が有効に機能する可能性がある。
【０２３６】
また、第３変形例に示すように衝撃吸収装置４９は、突起部材４０に当接する当接部材４９１と、該当接部材４９１を前記突起部材４０に当接可能な当接位置と、当接不可能な待避位置との間で移動自在に支持する支持部材４９２と、前記当接部材４９１を当接位置と待避位置との間で移動させる緩衝動作手段と、当接部材４９１の衝撃を吸収する吸収手段（弾性部材４９３）とを備え、緩衝動作手段は、電源遮断時に電力の供給が絶たれたことに基づき当接部材４９１を待避位置から当接位置に移動させるようになっている。
【０２３７】
従って、停電や故障による電源遮断時に上述のように回動規制部材４４１に突起部材４０が激しく衝突する可能性が高いので、電源遮断時にだけ、当接部材４９１が突起部材４０に当接して、突起部材４０の勢いを吸収手段が弱め、突起部材４０が回動規制部材４４１に衝突する際の衝撃を吸収することになる。すなわち、通常の画像表示ユニット３２の回転に対しては、回動規制部材４４１及び突起部材４０に、十分な強度を持たせるようにした場合でも、電源遮断時に画像表示ユニット３２が通常より加速して回転する場合には、衝撃吸収装置４９が作動して、回動規制部材４４１及び突起部材４０を保護することができる。
【０２３８】
また、当接部材４９１は、電源が遮断されていない状態では、待避位置に有り、突起部材４０と接触しないようになっていることから、電源が遮断されていない状態で、弾性部材４９３としての吸収手段の付勢力が突起部材４０の金属部材４０ｂを回動規制部材４４１の磁石４４ａから引きはがす方向に作用することがない。従って、電源遮断時に突起部材４０が速い速度で回動規制部材４４１にぶつかるような場合に、十分に突起部材４０の速度を減衰できる程度に大きなバネ常数を有する弾性部材４９３、すなわち、磁力に抗して回動規制部材４４１の磁石４４ａから突起部材４０の金属部材４０ｂを引きはがすような付勢力を有する弾性部材４９３を吸収手段として用いても、電力が供給されている状態では、当接部材４９１が突起部材４０に当接することがなく、衝撃吸収装置４９により、突起部材４０が回動規制部材４４１から引き剥がされることがない。
【０２３９】
また、画像表示ユニット３２の回動動作を停止させるために当該画像表示ユニット３２の回動位置を検出する検出手段（位置検出装置４６１，４６２）を設け、検出手段は、画像表示ユニット３２の回動中において突起部材４０が回動規制部材４４１，４４２に当接するよりも前の位置で該画像表示ユニット３２の回動位置を検出するように設定し、検出手段の検出出力に基づいて、電気的駆動源（モータ３４２）により画像表示ユニット３２の回動速度を低速に変換するようになっている。
【０２４０】
従って、突起部材４０が回動規制部材４４１，４４２に当接する前に画像表示ユニット３２の回動速度を低速に変換するので、突起部材４０が回動規制部材４４１，４４２に当接する際の衝撃を抑えることができ、さらにスムーズに画像表示ユニット３２を停止させることができる。
【０２４１】
また、画像表示ユニット３２の回動と、画像表示器１２の表示とを制御する制御装置（音・ランプ制御装置８０及び表示制御装置９０を有する演出制御装置６０）を備え、一対の回動規制部材４４１，４４２は、画像表示ユニット３２の画像表示面１１が横長状態となる位置と、画像表示面１１が縦長状態となる位置とで突起部材４０に当接し、検出手段は、突起部材４０が、一対の回動規制部材４４１，４４２の間の所定範囲を除く、回動規制部材４４１，４４２に当接するよりも前の位置から当接する位置までの範囲として前記画像表示面１１が横長状態となる所定範囲と、縦長状態となる所定範囲の位置を検出し、制御装置は、停電復帰後に、検出手段の検出結果が画像表示面１１が縦長状態となっているのを検出した場合に縦長画面に対応した縦エラー表示を行うように画像表示器１２を制御し、検出手段の検出結果が画像表示面１１が横長状態となっているのを検出した場合に横長画面に対応した横エラー表示を行うように画像表示器１２を制御し、検出手段の検出結果が縦長状態でも横長状態でもない場合に、縦長状態と横長状態とのうちの前記常態位置となる状態に対応した横エラー表示と縦エラー表示とのうちの一方のエラー表示を行うようになっている。
【０２４２】
従って、停電復帰時に、検出手段（位置検出装置４６１，４６２）が画像表示面１１が縦長状態となっているのを検出した場合に縦長画面１１に対応した縦長エラー表示を行い、横長状態となっているのを検出した場合に横長画面に対応した横長エラー表示を行う。
そして、検出手段の検出結果が縦長状態でも横長状態でも無い場合には、常態位置となる画面（横長画面及び縦長画面の一方）に対応したエラー表示を行い、画像表示面１１が縦長状態なのに、横長画面用のエラー表示が行われるようなことがなく、エラー表示を正常に行うことができる。すなわち、画像表示ユニット３２の回動位置が縦長状態でも横長状態でも無い場合には、画像表示面１１が斜めとなっているが、この場合に、画像表示ユニット３２の重心に基づいて、画像表示ユニット３２が回転して常態位置となる。従って、停電時に斜めとなっていても、時間の経過に伴い常態位置となるが、停電期間が極めて短い場合に、停電復帰時に常態位置まで至っていない可能性がある。この場合にも、直ぐに常態位置となるので、縦長状態及び横長状態のうちの常態位置となる方の画面に対応したエラー表示を行うことで、停電復帰直後には、画像表示面１１が斜めとなって、エラー表示が斜めに表示されるが、直ぐに画像表示面が横長もしくは縦長状態となり、エラー表示が正常な状態となる。
【０２４３】
また、本発明はこの実施の形態のパチンコ遊技機に限られるものではなく、その他のパチンコ遊技機、アレンジボール遊技機、雀球遊技機などの弾球遊技機にも適用可能である。
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【０２４４】
【図１】本発明の実施形態のパチンコ遊技機の画像表示装置を有する変動表示装置を取り付けた遊技盤を示す正面図である。
【図２】画像表示装置を取り付けた遊技盤を示す背面側から見た斜視図である。
【図３】変動表示装置の前面構成部材及び裏面構成部材が取り付けられる遊技盤を示す分解斜視図である。
【図４】画像表示装置を示す分解斜視図である。
【図５】画像表示装置の裏面構成部材と収納部材を示す分解斜視図である。
【図６】画像表示装置の画像表示ユニットを示す正面側から見た分解斜視図である。
【図７】画像表示ユニットを示す背面側から見た分解斜視図である。
【図８】画像表示ユニットを示す側面図である。
【図９】収納部材と画像表示ユニットを示す背面側から見た分解斜視図である。
【図１０】収納部材と画像表示ユニットを示す正面側から見た分解斜視図である。
【図１１】収納部材を示す正面側から見た斜視図である。
【図１２】収納部材の回動規制部材の押え部材及び磁石を示す斜視図である。
【図１３】回動規制部材の変形例を示す断面図である。
【図１４】パチンコ遊技機の制御系を説明するためのブロック図である。
【図１５】収納部材内面と画像表示ユニット裏面とにおける回動規制部材、突起部材、遮光板、位置検出装置の位置関係を説明するための図面である。
【図１６】画像表示ユニットを回転駆動する駆動装置における停止制御を説明するためのタイミングチャートである。
【図１７】画像表示面が回転した場合の画像表示の制御を説明するための図面である。
【図１８】本発明の実施形態の第１変形例の充填体を備えた画像表示ユニットの正面図である。
【図１９】本発明の実施形態の第２変形例の衝撃吸収装置を備えた画像回動装置を説明するための図面である。
【図２０】本発明の実施形態の第３変形例の衝撃吸収装置を説明するための図面である。
【図２１】第３変形例の衝撃吸収装置を説明するための図面である。
【図２２】本発明の実施形態の第４変形例における停電復帰時のエラー表示を説明するための図面である。
【符号の説明】
【０２４５】
１          遊技盤
１０        画像表示装置
１１        画像表示面
１２        画像表示器
２０        裏面構成部材
３０        画像回動装置
３１        回動軸
３２        画像表示ユニット
３３        収納部材
３３１      周囲壁部
３４        駆動装置
３４１      駆動ギア
３４２      モータ（電気的駆動源）
３６        周辺装飾部材
３９        ギア部材
４０        突起部材
４０ｂ      金属部材
４４１      回動規制部材
４４２      回動規制部材
４４ａ      磁石
４６１      位置検出装置（検出手段）
４６２      位置検出装置（検出手段）
４７        充填体
４８        衝撃吸収装置
４９        衝撃吸収装置
４９１      当接部材
４９２      支持部材
４９３      弾性部材（吸収手段）
５２        表示用窓部
６０        演出制御装置
８０        音・ランプ制御装置
９０        表示制御装置
ａ          液体
ｂ          液体
ｃ          液体
【図１】
2006026203.tif 000003
【図２】
2006026203.tif 000004
【図３】
2006026203.tif 000005
【図４】
2006026203.tif 000006
【図５】
2006026203.tif 000007
【図６】
2006026203.tif 000008
【図７】
2006026203.tif 000009
【図８】
2006026203.tif 000010
【図９】
2006026203.tif 000011
【図１０】
2006026203.tif 000012
【図１１】
2006026203.tif 000013
【図１２】
2006026203.tif 000014
【図１３】
2006026203.tif 000015
【図１４】
2006026203.tif 000016
【図１５】
2006026203.tif 000017
【図１６】
2006026203.tif 000018
【図１７】
2006026203.tif 000019
【図１８】
2006026203.tif 000020
【図１９】
2006026203.tif 000021
【図２０】
2006026203.tif 000022
【図２１】
2006026203.tif 000023
【図２２】
2006026203.tif 000024